(57)【要約】【課題】巻き癖が付かないように糸状体を保持し、糸状体が損傷を受けることなく円滑に引き出される糸巻の提供。【解決手段】この糸巻１１は、センタプレート５３及びサイドプレート１５４、１５５を有するベースプレート１４と、糸掛ボス１５、１６と、補助プレート１５８、１５９とを有する。サイドプレート５４、５５がセンタプレート５３を中心にして折り曲げられることにより、ベースプレート１４は、折畳姿勢となる。補助プレート１５８、１５９は、糸掛ボス１５、１６に設けられたフランジを構成する。補助プレート１５８、１５９は仮想切断線５７に沿って切断され、真直縁６３、７３が形成されている。補助プレート１５８、１５９は、サイドプレート１５４、１５５側へ延びる堤部１５６、１５７を備えている。補助プレート１５８、１５９間に空洞部２１２が設けられている。【選択図】図３６
2009008485.tif 000002
【特許請求の範囲】
【請求項１】
センタープレート及び当該センタープレートの両側に連続する一対のサイドプレートを有し、センタープレートと各サイドプレートとの境界で屈曲されることによって各サイドプレートが対向する折畳姿勢と各サイドプレートが離反する展開姿勢との間で姿勢変化するベースプレートと、
ベースプレートが折畳姿勢となった状態で端面同士が対向するように各サイドプレートに設けられた一対の糸掛ボスと、
各糸掛ボスの端面に設けられると共に当該端面から上記センタープレート側へ延設されてベースプレートに固定された一対の補助プレートとを有し、
当該補助プレートは、上記各糸掛ボスの中心を結ぶ仮想中心線と平行に配置された仮想切断線に沿って切断されることによって真直な切断縁が形成されている糸巻。
【請求項２】
上記補助プレートは、
上記端面にフランジを形成する円形部並びに上記ベースプレートに固定される底縁、当該底縁の一端に連続し且つ上記円形部の一端側に接するように延びた第１側縁、上記底縁の他端に連続し且つ上記円形部の他端側に接するように延びた第２側縁及び上記円形部に連続すると共に上記第１側縁と上記第２側縁とを接続する円弧縁を有する脚部を備えた板状部材により構成されている請求項１に記載の糸巻。
【請求項３】
上記補助プレートは、
上記端面にフランジを形成する円形部並びに上記ベースプレートに固定される底縁部、当該底縁部の一端と上記切断縁の下端とを接続するように延びた第１側縁、上記底縁部の他端と上記円形部の他端側とを接続するように延びた第２側縁及び上記円形部に連続すると共に上記第１側縁と上記第２側縁とを接続する円弧縁を有する脚部を備えた板状部材により構成されており、
上記仮想中心線に対する上記第１側縁の傾斜角度θ１（０°＜θ１＜９０°）と、上記仮想中心線に対する上記第２側縁の傾斜角度θ２（０°＜θ２＜９０°）との関係は、
θ１＜θ２である請求項１に記載の糸巻。
【請求項４】
上記補助プレートは、
上記端面にフランジを形成するフランジ部、上記ベースプレートに固定される底縁部、及びフランジ部と底縁部とを連続する脚部を備えた板状部材により構成されており、
脚部は、上記底縁部の一端と上記切断縁の下端とを接続するように延びた第１側縁及び上記底縁部の他端と上記フランジ部の他端側とを接続するように延びた第２側縁を有し、
上記仮想中心線に対する上記第１側縁の傾斜角度θ１（０°＜θ１＜９０°）と、上記仮想中心線に対する上記第２側縁の傾斜角度θ２（０°＜θ２＜９０°）との関係は、
θ１＜θ２である請求項１に記載の糸巻。
【請求項５】
上記底縁部は、
一対の脚部同士を連結するように帯状に形成され、
上記ベースプレートが折畳姿勢に変化したときに、当該底縁部の両端部が一方の脚部の内側及び他方の脚部の内側に対称に折り返されるための一対の第１折曲補助線と、当該底縁部の中間部が上記ベースプレート側に凸となるように湾曲されるための一対の第２折曲補助線とを備えている請求項３又は４に記載の糸巻。
【請求項６】
上記サイドプレートは、上記センタープレートに対して蛇腹状に折り畳まれるための第３折曲補助線を備えている請求項５に記載の糸巻。
【請求項７】
上記糸掛ボスは、外径がｄである円柱状に形成され、
上記仮想切断線は、上記仮想中心線から距離Ｓの位置に配置され、
当該距離Ｓは、ｄ／２＜Ｓ≦Ｄ／２−（Ｄ−ｄ）／６である請求項１から６のいずれかに記載の糸巻。
【請求項８】
上記サイドプレートの縁部から上記補助プレートの縁部に向かって延びる堤部がさらに設けられている請求項１から７のいずれかに記載の糸巻。
【請求項９】
上記補助プレートの縁部から上記サイドプレートの縁部に向かって延びる堤部がさらに設けられている請求項１から７のいずれかに記載の糸巻。
【請求項１０】
上記堤部は、上記糸掛ボスを中心とする円弧状に形成された突条から構成されている請求項８又は９に記載の糸巻。
【請求項１１】
上記糸掛ボスの周辺領域が糸掛ボスの中心を通る仮想軸線の方向であって上記堤部が突出する向きに陥没するように上記補助プレートに段差が形成されている請求項１から１０のいずれかに記載の糸巻。
【請求項１２】
折畳姿勢のベースプレートの周囲を被覆して当該ベースプレート、糸掛ボス及び補助プレートを収容保持するケーシングをさらに備え、
当該ケーシングは、一対の糸掛ボス間に巻き取られた糸状体が挿通し得る糸引出孔を有し、当該糸引出孔は、ベースプレートがケーシングに保持された状態で上記糸掛ボスの中心よりも上記切断縁が設けられた側にオフセットされている請求項１から１１のいずれかに記載の糸巻。
【請求項１３】
請求項１２に記載の糸巻と、
上記一対の糸掛ボス間に巻き付けられた状態で保持された糸状体とを有し、
当該糸状体は、上記補助プレートの第２側縁側から第１側縁側に向かって一方の糸掛ボスに巻き掛けられた後、当該糸状体とクロスして他方の糸掛ボスの方に導かれて上記補助プレートの第２側縁側から第１側縁側に向かって当該他方の糸掛ボスに８の字状を呈するように巻き掛けられている糸状体ユニット。
【請求項１４】
センタープレート及び当該センタープレートの両側に連続する一対のサイドプレートを有し、センタープレートと各サイドプレートとの境界で屈曲されることによって各サイドプレートが対向する折畳姿勢と各サイドプレートが離反する展開姿勢との間で姿勢変化するベースプレートと、
ベースプレートが折畳姿勢となった状態で端面同士が対向するように各サイドプレートに設けられた一対の糸掛ボスと、
各糸掛ボスの端面に設けられると共に当該端面から上記センタープレート側へ延設されてベースプレートに固定された一対の補助プレートと、
上記サイドプレートの縁部から上記補助プレートの縁部に向かって延びる第１堤部とを備える糸巻。
【請求項１５】
上記第１堤部は、当該第１堤部の先端が上記補助プレートに接触するように設けられている請求項１４に記載の糸巻。
【請求項１６】
上記第１堤部は、上記糸掛ボスを中心とする円弧状に形成された突条から構成されている請求項１４又は１５に記載の糸巻。
【請求項１７】
上記サイドプレートの側部に第２堤部がさらに設けられている請求項１４から１６のいずれかに記載の糸巻。
【請求項１８】
請求項１４から１７のいずれかに記載の糸巻と、
上記一対の糸掛ボス間に巻き付けられた状態で保持された糸状体とを有し、
当該糸状体は、一方の糸掛ボスの一方側から他方側へ巻き掛けられた後、当該糸状体とクロスして他方の糸掛ボスの方に導かれて当該他方の糸掛ボスの一方側から他方側へ８の字状を呈するように巻き掛けられている糸状体ユニット。
【請求項１９】
センタープレート及び当該センタープレートの両側に連続する一対のサイドプレートを有し、センタープレートと各サイドプレートとの境界で屈曲されることによって各サイドプレートが対向する折畳姿勢と各サイドプレートが離反する展開姿勢との間で姿勢変化するベースプレートと、
ベースプレートが折畳姿勢となった状態で端面同士が対向するように各サイドプレートに設けられた一対の糸掛ボスと、
各糸掛ボスの端面に設けられると共に当該端面から上記センタープレート側へ延設されてベースプレートに固定された一対の補助プレートと、
上記補助プレートの縁部から上記サイドプレートの縁部に向かって延びる堤部とを備える糸巻。
【請求項２０】
上記堤部は、当該堤部の先端が上記サイドプレートに接触するように設けられている請求項１９に記載の糸巻。
【請求項２１】
上記堤部は、上記糸掛ボスを中心とする円弧状に形成された突条から構成されている請求項１９又は２０に記載の糸巻。
【請求項２２】
請求項１９から２１のいずれかに記載の糸巻と、
上記一対の糸掛ボス間に巻き付けられた状態で保持された糸状体とを有し、
当該糸状体は、一方の糸掛ボスの一方側から他方側へ巻き掛けられた後、当該糸状体とクロスして他方の糸掛ボスの方に導かれて当該他方の糸掛ボスの一方側から他方側へ８の字状を呈するように巻き掛けられている糸状体ユニット。
【請求項２３】
センタープレート及び当該センタープレートの両側に連続する一対のサイドプレートを有し、センタープレートと各サイドプレートとの境界で屈曲されることによって各サイドプレートが対向する折畳姿勢と各サイドプレートが離反する展開姿勢との間で姿勢変化するベースプレートと、
先端面を有し、ベースプレートが折畳姿勢となった状態で当該先端面同士が対向するように各サイドプレートに設けられた一対の糸掛ボスと、
各糸掛ボスの先端面に設けられると共に当該先端面から上記センタープレート側へ延びてベースプレートに連結された一対の補助プレートと、
折畳姿勢のベースプレートの周囲を被覆して当該ベースプレート、糸掛ボス及び補助プレートを収容保持するケーシングとを備え、
ケーシングは、一対の糸掛ボス間に巻き取られた糸状体が挿通し得る糸引出孔を有し、当該糸引出孔は、ベースプレートがケーシングに保持された状態で各糸掛ボスの中心を通る仮想軸線に直交し且つサイドプレートの長手方向に沿う仮想中心線に対して糸掛ボスの径方向にオフセットされた位置に設けられている糸巻。
【請求項２４】
請求項２２に記載の糸巻と、
上記一対の糸掛ボス間に巻き付けられた状態で保持された糸状体とを有し、
当該糸状体は、一方の糸掛ボスの一方側から他方側へ巻き掛けられた後、当該糸状体とクロスして他方の糸掛ボスの方に導かれて当該他方の糸掛ボスの一方側から他方側へ８の字状を呈するように巻き掛けられており、
上記糸引出孔は、上記仮想中心線に対して上記糸掛ボスの他方側にオフセットされている糸状体ユニット。
【請求項２５】
センタープレート及び当該センタープレートの両側に連続する一対のサイドプレートを有し、センタープレートと各サイドプレートとの境界で屈曲されることによって各サイドプレートが対向する折畳姿勢と各サイドプレートが離反する展開姿勢との間で姿勢変化するベースプレートと、
ベースプレートが折畳姿勢となった状態で端面同士が対向するように各サイドプレートに設けられた一対の糸掛ボスと、
各糸掛ボスの端面に設けられると共に当該端面から上記センタープレート側へ延設されてベースプレートに固定された一対の補助プレートとを有し、
各補助プレートを連結するように各補助プレートと一体的に形成された帯状の底縁部とを有し、
当該底縁部は、上記ベースプレートが折畳姿勢に変化したときに、当該底縁部の両端部が一方の補助プレートの内側及び他方の補助プレートの内側に対称に折り返されるための一対の第１折曲補助線と、当該底縁部の中間部が上記ベースプレート側に凸となるように湾曲されるための一対の第２折曲補助線とを備えている糸巻。
【請求項２６】
上記サイドプレートは、上記センタープレートに対して蛇腹状に折り畳まれるための第３折曲補助線を備えている請求項２５に記載の糸巻。
【発明の詳細な説明】
【技術分野】
【０００１】
本発明は、釣糸その他の長尺の糸状体を保持するための糸巻の構造並びにこの糸巻に糸状体が巻き取られた糸状体ユニットの構造に関するものである。
【背景技術】
【０００２】
糸状体として典型的には釣糸が例示される。釣糸は、従来から所定の長さ（例えば５０ｍ〜１５０ｍ程度）に裁断されて市販されている。ただし、長尺の釣糸は取り扱いに不便であることから、通常、釣糸は糸巻に巻き取られた状態で販売される（例えば、特許文献１〜特許文献１４参照）。一般に糸巻は単一の円筒状のコアを有しており、当該コアに釣糸が巻き付けられるようになっている。また、糸巻に釣糸を巻き付ける装置も従来から提供されている（例えば、特許文献１５〜特許文献２５参照）。このような糸巻装置は、釣糸に一定のテンションを発生させた状態で当該釣糸を上記コアに巻き取るようになっている。【０００３】
ところで、長尺の釣糸が単一の円筒状コアに一方向に巻き取られた場合には、当該釣糸に巻き癖がつくおそれがある。巻き癖がついた釣糸は使用時に螺旋状に変形し、釣人にとって非常に使いにくいものとなる。このような不都合が解消されるために、例えば特許文献２６に開示された糸巻が提供されている。この糸巻は、ほとんど巻き癖をつけることなく釣糸を巻き取ることができるようになっている。具体的には、特許文献２６に開示された糸巻は、一対の円筒状コアを有している。長尺の釣糸は、これら一対の円筒状コア間に８の字を描くように巻き掛けられる。そして、このように８の字を呈するように形成された釣糸がその中央部（釣糸同士が交差する部位）で折り曲げられ、全体として円形に巻回された状態で（いわゆる蜷局状を成して）当該糸巻に保持される。【０００４】
図４２は、従来の糸巻の分解斜視図である。【０００５】
この糸巻５０１は、内フレーム５０２と外フレーム５０３とを有する。釣糸５０４は内フレーム５０２に巻き取られており、この内フレーム５０２が外フレーム５０３に収容される。釣糸５０４の端部５０５は、外フレーム５０３に設けられた挿通孔５０６から外部へ導かれている。釣人は、外フレーム５０３を一方の手に持ち、他方の手で釣糸５０４の端部５０５を把持して引っ張ることにより、所望の長さの釣糸５０４を取り出すことができる。【０００６】
図４３は従来の糸巻の内フレームが展開された状態の斜視図であり、図４４は釣糸が巻き付けられた状態の平面図である。【０００７】
これらの図が示すように、内フレーム５０２はベースプレート５０７を有し、このベースプレート５０７に一対のコア５０８、５０９が設けられている。これらコア５０８、５０９を覆うように、それぞれフランジ５１０、５１１が設けられている。各フランジ５１０、５１１の端部５１２、５１３は、ベースプレート５０７に固定されている。釣糸５０４の基端５１８は、ベースプレート５０７の所定位置に固定される。釣糸５０４は、コア５０８とコア５０９とに交互に巻き掛けられ、８の字を呈するように形成される（図４４参照）。この状態でベースプレート５０７が中央部で折り曲げられることにより（図４２参照）、結果として長尺の釣糸が円形に巻回された状態で外フレーム５０３に収容されるようになっている。【０００８】
釣糸５０４は、糸巻５０１に巻き取られた状態で製品として販売される。釣人が釣糸５０４を使用するときは、前述のように釣糸５０４の端部５０５を引っ張る。これにより、内フレーム５０２に巻き取られた釣糸５０４が順にほどけて糸巻５０１から引き出される。ここで、釣糸５０４は前述のように８の字を描くように内フレーム５０２のコア５０８、５０９に巻き掛けられているから、釣糸５０４に巻き癖がつくことはない。したがって、糸巻５０１から引き出された釣糸５０４は真直な状態を維持し、釣人にとって非常に使いやすいものである。【０００９】
【特許文献１】特開２００６−２３０２０７号公報
【特許文献２】特開２００６−２２３１２７号公報
【特許文献３】特開２００５−３０４３５８号公報
【特許文献４】特開２００５−２１８４４６号公報
【特許文献５】特開２００５−２１８３３４号公報
【特許文献６】特開２００５−０００１５１号公報
【特許文献７】特開２００４−３１３１５０号公報
【特許文献８】特開２００４−２１５６３７号公報
【特許文献９】特開２００４−２１５６３６号公報
【特許文献１０】特開２００３−００９７４２号公報
【特許文献１１】特開２００２−３７０８７１号公報
【特許文献１２】特開２００２−３６９６４６号公報
【特許文献１３】特開２００２−１７１８８７号公報
【特許文献１４】特開２００１−２９９１７３号公報
【特許文献１５】特開２００２−０９５３９９号公報
【特許文献１６】特開２００２−０８４９４３号公報
【特許文献１７】特開２００１−１５１２０６号公報
【特許文献１８】特開２００１−１４８９８７号公報
【特許文献１９】特開２００１−１１４４７１号公報
【特許文献２０】特開平１１−１８０６４１号公報
【特許文献２１】特開平１１−００５６７１号公報
【特許文献２２】特開平１０−１０９８２４号公報
【特許文献２３】特開平１０−１０９８２２号公報
【特許文献２４】特開平９−１８８４７５号公報
【特許文献２５】特開平７−１３７９３３号公報
【特許文献２６】特許第３８９９１１７号公報
【発明の開示】
【発明が解決しようとする課題】
【００１０】
しかしながら、釣糸５０４が糸巻５０１から引き出される際に、次のような問題がある。すなわち、釣糸５０４は、図４４が示す要領で内フレーム５０２のコア５０８、５０９に巻き掛けられ、且つ図４２が示すように内フレーム５０２が折り畳まれることによって糸巻５０１内で保持されているから、釣糸５０４が糸巻５０１から引き出されると、釣糸５０４は、フランジ５１０、５１１の周縁に対して摺動しながらほどけることになる（図４２及び図４４参照）。【００１１】
詳述すれば、折り畳まれた状態での釣糸５０４は、フランジ５１０の傾斜面５１４で屈曲すると共に対向するフランジ５１１の傾斜面５１５で再度屈曲してコア５０９の方へ向かっている（図４４参照）。すなわち、釣糸５０４は、立体的に略Ｕの字を描くように保持されており、釣糸５０４が引っ張られると当該略Ｕの字が解かれるように引き出される。このとき、釣糸５０４は、上記傾斜面５１４、５１５を迫り上がっていくことになるが、この傾斜面５１４、５１５の上端５１６、５１７を乗り越えることができずに、当該上端５１６、５１７に釣糸５０４が引っ掛かってしまうことがある。ただし、釣糸５０４の引張力が十分に大きい場合には、釣糸５０４がフランジ５１０、５１１を撓ませることになり、これにより、上記上端５１６、５１７が内側に変位し、釣糸５０４は当該上端５１６、５１７から外れて引き出される。【００１２】
ところが、このように釣糸５０４がフランジ５１０、５１１に対して強く摺動すると、釣糸５０４が損傷するおそれがある。特にフランジ５１０、５１１の剛性が高い場合、釣糸５０４の外径が小さい場合、及び釣糸５０４がいわゆるＰＥラインの場合等はなおさらである。【００１３】
もっとも、この問題は、フランジ５１０が十分に柔らかくて釣糸５０４に対する摩擦係数がきわめて小さい材料から構成されるならば解消され得る。ところが、そのような材料により内フレーム５０２が構成された場合には、内フレーム５０２に釣糸５０４を巻き取る作業が困難となるし、そもそもそのような材料は一般的なものではない。そのため、製品としての釣糸の製造コストが上昇するという新たな問題が発生する。【００１４】
そこで、本発明の目的は、釣糸その他の糸状体を巻き癖が付くことなく保持すると共にこの糸状体が損傷を受けることなく円滑に引き出される安価な糸巻、およびこの糸巻に糸状体が巻き取られた糸状体ユニットを提供することである。
【課題を解決するための手段】
【００１５】
［１−(1) ］上記目的が達成されるため、本発明に係る糸巻は、センタープレート及び当該センタープレートの両側に連続する一対のサイドプレートを有し、センタープレートと各サイドプレートとの境界で屈曲されることによって各サイドプレートが対向する折畳姿勢と各サイドプレートが離反する展開姿勢との間で姿勢変化するベースプレートを備える。ベースプレートが折畳姿勢となった状態で端面同士が対向するように一対の糸掛ボスが各サイドプレートに設けられている。当該糸巻は、各糸掛ボスの端面に設けられると共に当該端面から上記センタープレート側へ延設されてベースプレートに固定された一対の補助プレートを有する。当該補助プレートは、上記各糸掛ボスの中心を結ぶ仮想中心線と平行に配置された仮想切断線に沿って切断されることによって真直な切断縁が形成されている。【００１６】
この糸巻は、長尺の糸状体を保持することができる。糸状体としては、釣糸が例示される。糸状体は、次の要領で糸巻に巻き取られる。まず、ベースプレートが展開姿勢に変化され、センタープレートの両側に一対のサイドプレートが配置される。この状態で、一対の糸掛ボスがベースプレートの両端部に配置されることになる。続いて、糸状体の一方の端部がベースプレートの所定部位、例えば一対の糸掛ボスの中間に固定される。糸状体は、一方の糸掛ボスに巻き掛けられる。このとき、糸状体は、例えば補助プレートの上記仮想切断線に沿って切断された側から糸掛ボスに巻き掛けられる。さらに、この糸状体は、他方の糸掛ボスに巻き掛けられる。この場合も、補助プレートの上記仮想切断線に沿って切断された側から糸掛ボスに巻き掛けられる。もっとも、この糸状体は、補助プレートの上記仮想切断線に沿って切断された側と反対側から各糸掛ボスに巻き掛けられてもよい。この糸状体は、互いにクロスするように一方の糸掛ボス及び他方の糸掛ボスに巻き掛けられる。同様にして、この糸状体は、一対の糸掛ボスに交互に連続して巻き掛けられる。すなわち、この糸状体は、８の字を呈するように一対の糸掛ボス間に巻き取られ、ベースプレートに保持される。この状態でベースプレートが折畳姿勢に変化される。これにより、一対の糸掛ボスに８の字を呈するように巻き付けられていた糸状体は、ベースプレート内で環状に形成される。【００１７】
前述のように、糸状体が一対の糸掛ボスに８の字を呈するように巻き付けられるから、当該糸状体が一方の糸掛ボスに巻かれる際に発生する撚りと、他方の糸掛ボスに巻かれる際に発生する撚りとが相殺され、結果的に糸状体が撚れることはない。糸状体は、強く引っ張られることなくきわめて緩やかに一対の糸掛ボスに巻き付けられる。糸状体が各糸掛ボスに巻き付けられた状態でベースプレートが折畳姿勢に変化されると、糸状体は環状に形成され、ほとんど無張力の状態でベースプレートに保持される。したがって、糸状体がベースプレートに長時間保持されたとしても巻き癖がつくことがない。【００１８】
この糸状体の使用者は、ベースプレートに保持された糸状体の他方の端部を引っ張ることにより、所望の長さの糸状体をベースプレートから引き出すことができる。このとき、一方の糸掛ボス及び他方の糸掛ボスに巻き掛けられた糸状体は、これら各糸掛ボスから交互に解けるように引き出される。したがって、糸状体は、使用者の意に反して一気に多量にベースプレートから引き出されることはない。【００１９】
上記糸状体は、次の要領で引き出される。まず、糸状体の他方の端部が引っ張られると、当該端部の直近に形成された糸状体のループ、例えば一方の糸掛ボスに巻き掛けられている糸状体のループが絞られる。つまり、当該ループの径が小さくなる。当該ループの径が小さくなると、当該糸状体は、上記一方の補助プレートの縁部に沿ってスライドする。このとき、各補助プレートは上記真直縁を備えているから、当該糸状体は、当該真直縁に沿って円滑にスライドし、一方の補助プレートが変形しなくても円滑に一方の糸掛ボスから外れ、当該ループが解けることになる。このループに隣り合うループも同様に解け、その結果、幾重にも巻回された糸状体は、ストレスなく順に解けることになる。【００２０】
［１−(2)］ 上記補助プレートは、上記端面にフランジを形成する円形部並びに脚部を備えた板状部材により構成されているのが好ましい。上記脚部は、上記ベースプレートに固定される底縁、当該底縁の一端に連続し且つ上記円形部の一端側に接するように延びた第１側縁、上記底縁の他端に連続し且つ上記円形部の他端側に接するように延びた第２側縁及び上記円形部に連続すると共に上記第１側縁と上記第２側縁とを接続する円弧縁を有する。【００２１】
前述のように、糸状体が保持されている状態ではベースプレートが折畳姿勢となっている。すなわち、一対の糸掛ボスは互いに対向し、当該糸掛ボスに設けられた補助プレートも互いに対向している。糸状体は、例えば一方の糸掛ボスに巻き掛けられた後に一方の補助プレートの脚部の第２側縁及び他方の補助プレートの脚部の第１側縁を経て他方の糸掛ボスに巻き掛けられ、続いて他方の補助プレートの脚部の第２側縁及び一方の補助プレートの脚部の第１側縁を経て一方の糸掛ボスに巻き掛けられる。ただし、糸状体は、逆方向に巻かれていてもよい。すなわち、糸状体は、一方の糸掛ボスに巻き掛けられた後に一方の補助プレートの脚部の第１側縁及び他方の補助プレートの脚部の第２側縁を経て他方の糸掛ボスに巻き掛けられ、続いて他方の補助プレートの脚部の第１側縁及び一方の補助プレートの脚部の第２側縁を経て一方の糸掛ボスに巻き掛けられていてもよい。つまり、糸状体は、一方の糸掛ボスに巻き掛けられた後に、螺旋ループを描くように当該一方の糸掛ボスと対向する他方の糸掛ボスに巻き掛けられ、その後同様に各糸掛ボスに交互に巻き掛けられている。糸状体は、このように幾重にも重なった螺旋ループ状に巻回される。螺旋ループ状に巻回された糸状体の他方の端部が引っ張られると、当該他方の端部に最も近いループが解け、続いて当該ループに隣り合うループが順に解ける。【００２２】
糸状体の螺旋ループは、次の要領で解ける。まず、糸状体の他方の端部が引っ張られると、当該端部の直近の螺旋ループ、例えば一方の糸掛ボスに巻き掛けられている螺旋ループが絞られる。つまり、当該ループの径が小さくなる。このとき、当該糸状体は、一方の補助プレートの脚部の第１側縁、一方の糸掛ボス、一方の補助プレートの脚部の第２側縁に巻き掛けられているから、上記螺旋ループの径が小さくなると、当該糸状体は、上記一方の補助プレートの脚部の第１側縁に沿って当該脚部から円形部側へ移動する。しかも、当該第１側縁は途中で上記仮想切断線に沿って切断されているから、当該糸状体は、一方の補助プレートが変形しなくても上記第１側縁に沿って移動した後に円滑に一方の糸掛ボスから外れ、当該螺旋ループが解ける。そして、この螺旋ループに隣り合う螺旋ループも同様に解け、その結果、幾重にも巻回された糸状体は、ストレスなく解ける。【００２３】
［１−(3)］ 上記補助プレートは、上記端面にフランジを形成する円形部並びに脚部を備えた板状部材により構成されているのが好ましい。上記脚部は、上記ベースプレートに固定される底縁部、当該底縁部の一端と上記切断縁の下端とを接続するように延びた第１側縁、上記底縁部の他端と上記円形部の他端側とを接続するように延びた第２側縁及び上記円形部に連続すると共に上記第１側縁と上記第２側縁とを接続する円弧縁を有する脚部を有する。上記仮想中心線に対する上記第１側縁の傾斜角度θ１（０°＜θ１＜９０°）及び上記仮想中心線に対する上記第２側縁の傾斜角度θ２（０°＜θ２＜９０°）の関係がθ１＜θ２となるように設定されているのが好ましい。【００２４】
前述のように、糸状体が保持されている状態ではベースプレートが折畳姿勢となっている。すなわち、一対の糸掛ボスは互いに対向し、当該糸掛ボスに設けられた補助プレートも互いに対向している。糸状体は、例えば一方の糸掛ボスに巻き掛けられた後に一方の補助プレートの脚部の第２側縁及び他方の補助プレートの脚部の第１側縁を経て他方の糸掛ボスに巻き掛けられ、続いて他方の補助プレートの脚部の第２側縁及び一方の補助プレートの脚部の第１側縁を経て一方の糸掛ボスに巻き掛けられる。ただし、糸状体は、逆方向に巻かれていてもよいことは前述の通りである。すなわち、糸状体は、一方の糸掛ボスに巻き掛けられた後に一方の補助プレートの脚部の第１側縁及び他方の補助プレートの脚部の第２側縁を経て他方の糸掛ボスに巻き掛けられ、続いて他方の補助プレートの脚部の第１側縁及び一方の補助プレートの脚部の第２側縁を経て一方の糸掛ボスに巻き掛けられていてもよい。つまり、糸状体は、一方の糸掛ボスに巻き掛けられた後に、螺旋ループを描くように当該一方の糸掛ボスと対向する他方の糸掛ボスに巻き掛けられ、その後同様に各糸掛ボスに交互に巻き掛けられる。糸状体は、このように幾重にも重なった螺旋ループ状に巻回される。螺旋ループ状に巻回された糸状体の他方の端部が引っ張られると、当該他方の端部に最も近いループが解け、続いて当該ループに隣り合うループが順に解ける。【００２５】
糸状体の螺旋ループは、次の要領で解ける。まず、糸状体の他方の端部が引っ張られると、当該端部の直近の螺旋ループ、例えば一方の糸掛ボスに巻き掛けられている螺旋ループが絞られる。つまり、当該ループの径が小さくなる。このとき、当該糸状体は、一方の補助プレートの脚部の第１側縁、一方の糸掛ボス、一方の補助プレートの脚部の第２側縁に巻き掛けられているから、上記螺旋ループの径が小さくなると、当該糸状体は、上記一方の補助プレートの脚部の第１側縁に沿って当該脚部から円形部側へ移動する。しかも、当該第１側縁は途中で上記仮想切断線に沿って切断されているから、当該糸状体は、一方の補助プレートが変形しなくても上記第１側縁に沿って移動した後に円滑に一方の糸掛ボスから外れ、当該螺旋ループが解ける。そして、この螺旋ループに隣り合う螺旋ループも同様に解け、その結果、幾重にも巻回された糸状体は、ストレスなく解ける。【００２６】
上記第１側縁の傾斜角度θ１は上記第２側縁の傾斜角度θ２よりも小さい。すなわち、上記第２側縁は、上記仮想中心線に対して横方向に大きく張り出している。したがって、ループ状の糸状体が上記第１側縁に沿って円滑に移動する一方で、当該糸状体は、第２側縁に引っ掛かった状態になる傾向にある。このため、当該ループ状の糸状体が勢いよく糸掛ボスから外れ、これに引かれて一気に糸状体が解けてしまうことが防止される。なお、この第１側縁及び第２側縁は、上記傾斜角度がθ１、θ２となる部分を備えていれば十分である。したがって、第１側縁の一部及び第２側縁の一部に上記仮想中心線と平行になる部分が形成されていてもよい。【００２７】
［１−(4)］ 上記補助プレートは、上記端面にフランジを形成するフランジ部、上記ベースプレートに固定される底縁部、及びフランジ部と底縁部とを連続する脚部を備えた板状部材により構成されていてもよい。脚部は、上記底縁部の一端と上記切断縁の下端とを接続するように延びた第１側縁及び上記底縁部の他端と上記フランジ部の他端側とを接続するように延びた第２側縁を有し、上記仮想中心線に対する上記第１側縁の傾斜角度θ１（０°＜θ１＜９０°）と、上記仮想中心線に対する上記第２側縁の傾斜角度θ２（０°＜θ２＜９０°）との関係は、θ１＜θ２であるのが好ましい。【００２８】
前述のように、糸状体が保持されている状態ではベースプレートが折畳姿勢となっている。すなわち、一対の糸掛ボスは互いに対向し、当該糸掛ボスに設けられた補助プレートも互いに対向している。糸状体は、例えば一方の糸掛ボスに巻き掛けられた後に一方の補助プレートの脚部の第２側縁及び他方の補助プレートの脚部の第１側縁を経て他方の糸掛ボスに巻き掛けられ、続いて他方の補助プレートの脚部の第２側縁及び一方の補助プレートの脚部の第１側縁を経て一方の糸掛ボスに巻き掛けられる。ただし、糸状体は、逆方向に巻かれていてもよいことは前述の通りである。すなわち、糸状体は、一方の糸掛ボスに巻き掛けられた後に一方の補助プレートの脚部の第１側縁及び他方の補助プレートの脚部の第２側縁を経て他方の糸掛ボスに巻き掛けられ、続いて他方の補助プレートの脚部の第１側縁及び一方の補助プレートの脚部の第２側縁を経て一方の糸掛ボスに巻き掛けられていてもよい。つまり、糸状体は、一方の糸掛ボスに巻き掛けられた後に、螺旋ループを描くように当該一方の糸掛ボスと対向する他方の糸掛ボスに巻き掛けられ、その後同様に各糸掛ボスに交互に巻き掛けられる。糸状体は、このように幾重にも重なった螺旋ループ状に巻回される。螺旋ループ状に巻回された糸状体の他方の端部が引っ張られると、当該他方の端部に最も近いループが解け、続いて当該ループに隣り合うループが順に解ける。【００２９】
糸状体の螺旋ループは、次の要領で解ける。まず、糸状体の他方の端部が引っ張られると、当該端部の直近の螺旋ループ、例えば一方の糸掛ボスに巻き掛けられている螺旋ループが絞られる。つまり、当該ループの径が小さくなる。このとき、当該糸状体は、一方の補助プレートの脚部の第１側縁、一方の糸掛ボス、一方の補助プレートの脚部の第２側縁に巻き掛けられているから、上記螺旋ループの径が小さくなると、当該糸状体は、上記一方の補助プレートの脚部の第１側縁に沿って当該脚部から円形部側へ移動する。しかも、当該第１側縁は途中で上記仮想切断線に沿って切断されているから、当該糸状体は、一方の補助プレートが変形しなくても上記第１側縁に沿って移動した後に円滑に一方の糸掛ボスから外れ、当該螺旋ループが解ける。そして、この螺旋ループに隣り合う螺旋ループも同様に解け、その結果、幾重にも巻回された糸状体は、ストレスなく解ける。【００３０】
上記第１側縁の傾斜角度θ１は上記第２側縁の傾斜角度θ２よりも小さい。すなわち、上記第２側縁は、上記仮想中心線に対して横方向に大きく張り出している。したがって、ループ状の糸状体が上記第１側縁に沿って円滑に移動する一方で、当該糸状体は、第２側縁に引っ掛かった状態になる傾向にある。このため、当該ループ状の糸状体が勢いよく糸掛ボスから外れ、これに引かれて一気に糸状体が解けてしまうことが防止される。なお、この第１側縁及び第２側縁は、上記傾斜角度がθ１、θ２となる部分を備えていれば十分である。したがって、第１側縁の一部及び第２側縁の一部に上記仮想中心線と平行になる部分が形成されていてもよい。【００３１】
［１−(5)］ 上記底縁部は、一対の脚部同士を連結するように帯状に形成されていてもよい。この底縁部は、上記ベースプレートが折畳姿勢に変化したときに、当該底縁部の両端部が一方の脚部の内側及び他方の脚部の内側に対称に折り返されるための一対の第１折曲補助線と、当該底縁部の中間部が上記ベースプレート側に凸となるように湾曲されるための一対の第２折曲補助線とを備えているのが好ましい。【００３２】
この場合、一対の脚部同士が連結され、一対の補助プレートが単一の部品として構成される。したがって、ベースプレートが折畳姿勢に変化したときは、重ね合わされたベースプレート及び補助プレートが折り畳まれることになる。一般に２枚のシートが重ね合わされた状態で折り畳まれると、内側のシートに弛みが生じる。したがって、ベースプレートが折畳姿勢に変化すると、補助プレートに弛みが生じる。この弛みは補助プレートの弾性変形を起こす。補助プレートの一部が内側に凸となるように変形した場合、補助プレート間に形成される空間が狭くなり、糸掛ボスに巻き取られた糸状体が圧迫されるなどの不都合が生じる。【００３３】
この発明では、上記第１折曲補助線及び第２折曲補助線が設けられているから、ベースプレートが折畳姿勢に変化すると、上記底縁部が第１折曲補助線が設けられた部分及び第２折曲補助線が設けられた部分で屈曲される。すなわち、底縁部の両端部が一方の脚部の内側及び他方の脚部の内側に対称に折り返されると共に、当該底縁部の中間部が上記ベースプレート側に凸となるように湾曲される。これにより、補助プレート間に形成される空間が狭くならず、糸掛ボスに巻き取られた糸状体が圧迫されるなどの不都合が生じない。【００３４】
［１−(6)］ 上記サイドプレートは、上記センタープレートに対して蛇腹状に折り畳まれるための第３折曲補助線を備えているのが好ましい。【００３５】
この構成では、サイドプレートがセンタープレートに対して蛇腹状に折り畳まれるから、ベースプレートが折畳姿勢に変化したときは、ベースプレートの長さが短くなる。すなわち、糸巻全体の全長が短くなり、糸巻の使用者にとってコンパクトで使いやすいものとなる。【００３６】
糸巻について単なるコンパクト設計を行うことは簡単である。ところが、一対の糸掛ボス間の距離が短くなると、所定長さの糸状体が各糸掛ボス間に巻き取られる場合に巻き回数が増加して巻取作業のコストが増大する。本発明では、サイドプレートがセンタープレートに対して蛇腹状に折り畳まれるから、ベースプレートが展開姿勢のときは一対の糸掛ボス間の距離が長くなり、ベースプレートが折畳姿勢のときは一対の糸掛ボス間の距離が短くなる。したがって、ベースプレートが展開姿勢に変化した状態で糸状体が巻き取られることにより、所定長さの糸状体が各糸掛ボス間に巻き取られる際の巻き回数が少なくなり、巻取作業のコストの増大が避けられる。【００３７】
［１−(7)］ 上記糸掛ボスは、外径がｄである円柱状に形成されていてもよい。その場合、上記仮想切断線は、上記仮想中心線から距離Ｓの位置に配置され、当該距離Ｓは、ｄ／２＜Ｓ≦Ｄ／２−（Ｄ−ｄ）／６に設定されるのが好ましい。【００３８】
［１−(8)］ 上記サイドプレートの縁部から上記補助プレートの縁部に向かって延びる堤部がさらに設けられているのが好ましい。【００３９】
前述のように、糸状体は糸掛ボスの周りにループ状に幾重にも巻回されている。糸状体は、その剛性により糸掛ボスを中心にして外側へ拡がる傾向にあるから、ループ状の糸状体が一気に解けてしまうおそれがある。前述のように、糸状体に撚りが生じないのは、一方の糸掛ボスに巻かれる際に発生する撚りと、他方の糸掛ボスに巻かれる際に発生する撚りとが相殺されるからである。糸状体が引き出されて一のループが解けていく際に、糸状体が一方の糸掛ボス側から外れた瞬間に撚りが発生する。この撚りは、当該糸状体が他方の糸掛ボスからも外れることによって相殺される。但し、この撚りが相殺されるまでに当該糸状体が大きく拡がり、これに引きずられるようにして他のループが補助プレートの外側に外れてしまうことがある。このため、糸状体が引き出される際に絡みついてしまうおそれがある。しかし、この構成では、上記堤部が設けられているから、糸状体が糸掛ボスを中心にして外側へ拡がることが防止される。すなわち、糸状体によって形成される各ループが補助プレートから外側へ外れてしまうことが防止される。したがって、糸状体の絡みが防止され、糸状体が円滑に引き出される。【００４０】
［１−(9)］ 上記サイドプレートの縁部から上記補助プレートの縁部に向かって延びる堤部に代えて、上記補助プレートの縁部から上記サイドプレートの縁部に向かって延びる堤部が設けられていてもよい。【００４１】
前述のように、糸状体は糸掛ボスの周りにループ状に幾重にも巻回されており、糸掛ボスを中心にして外側へ拡がる傾向にあるから、ループ状の糸状体が一気に解けてしまうおそれがある。前述のように、糸状体に撚りが生じないのは、一方の糸掛ボスに巻かれる際に発生する撚りと、他方の糸掛ボスに巻かれる際に発生する撚りとが相殺されるからである。糸状体が引き出されて一のループが解けていく際に、糸状体が一方の糸掛ボス側から外れた瞬間に撚りが発生する。この撚りは、当該糸状体が他方の糸掛ボスからも外れることによって相殺される。但し、この撚りが相殺されるまでに当該糸状体が大きく拡がり、これに引きずられるようにして他のループが補助プレートの外側に外れてしまうことがある。このため、糸状体が引き出される際に絡みついてしまうおそれがある。しかし、この構成では、上記堤部が設けられているから、糸状体が糸掛ボスを中心にして外側へ拡がることが防止される。すなわち、糸状体によって形成される各ループが補助プレートから外側へ外れてしまうことが防止される。したがって、糸状体の絡みが防止され、糸状体が円滑に引き出される。【００４２】
上記糸状体は、ベースプレートが展開姿勢にある状態で一対の糸掛ボスに巻き掛けられて、その後ベースプレートが折畳姿勢に変化されることにより、前述のような多重螺旋ループ状に形成されている。このため、糸状体は、多重螺旋ループの中央（折り畳まれた糸状体の中央）から引き出される。【００４３】
上記ベースプレートが折畳姿勢となったときは、サイドプレートの内側に上記補助プレートが配置される。したがって、上記堤部は、補助プレートからサイドプレートに向かって、すなわち折り畳まれたベースプレートの中央から外側に突出する。このため、上記糸状体は、上記多重螺旋ループの中央から引き出され、上記堤部によってサイドプレート側へ導かれる。つまり、糸状体は、多重螺旋ループの中央から一旦外側へ導かれた後に外部へ引き出される。【００４４】
前述のように、糸状体が引っ張られて一の螺旋ループが解けていく際に、当該螺旋ループに隣り合う螺旋ループあるいは当該螺旋ループの近傍に位置する螺旋ループが引きずられて当該糸状体と一緒に引き出される可能性がある。その場合、当該糸状体が引っ張られる方向と螺旋ループが引きずられる方向とが略一致するならば、引きずられる螺旋ループと引き出される糸状体とが絡み合う可能性が高くなる。この構成では、引っ張られる糸状体は堤部によって一旦外側へ導かれるから、当該糸状体が引っ張られる方向と螺旋ループが引きずられる方向とが異なる。したがって、仮に螺旋ループが引きずられたとしても、引っ張られる糸状体と絡みつくことが確実に防止される。【００４５】
［１−(10)］上記堤部は、上記糸掛ボスを中心とする円弧状に形成された突条から構成されているのが好ましい。【００４６】
この構成によれば、仮に糸状体が糸掛ボスを中心に外側に拡がろうとしても、堤部が糸状体の周囲に均等に当接する。したがって、糸状体の拡がりが確実に防止される。【００４７】
［１−(11)］上記糸掛ボスの周辺領域が糸掛ボスの中心を通る仮想軸線の方向であって上記堤部が突出する向きに陥没するように上記補助プレートに段差が形成されていてもよい。【００４８】
上記ベースプレートが折畳姿勢となったときは、上記補助プレート同士が重ねられた状態となる。上記段差が形成されることにより、上記糸掛ボスの周辺領域が糸掛ボスの中心を通る仮想軸線の方向であって上記堤部が突出する向き、すなわち、折り畳まれたベースプレートの中央から外側に向かって陥没する。したがって、上記ベースプレートが折畳姿勢となったときは、補助プレートの陥没した部分同士が背中合わせの状態で重ねられる。このため、重ねられた補助プレートの間であって上記糸掛ボスの周辺領域に空洞部が形成される。【００４９】
糸状体が引っ張られると、前述のように螺旋ループが順に解け、当該糸状体は、重ねられた補助プレート同士の間をすり抜ける。このとき、引っ張られる糸状体が形成する螺旋ループに隣り合う螺旋ループあるいはこの近傍に位置する螺旋ループが引きずられて当該糸状体と一緒に上記補助プレート同士の間に進入する可能性がある。しかし、上記空洞部が形成されているから、仮に上記糸状体と一緒に螺旋ループが補助プレート同士の間に進入しても、上記空洞内では当該糸状体のみが引っ張られ、当該螺旋ループは、当該空洞内で待機する。したがって、引きずられる螺旋ループと引き出される糸状体とが絡み合うことが確実に防止される。【００５０】
［１−(12)］折畳姿勢のベースプレートの周囲を被覆して当該ベースプレート、糸掛ボス及び補助プレートを収容保持するケーシングがさらに備えられていてもよい。当該ケーシングは、一対の糸掛ボス間に巻き取られた糸状体が挿通し得る糸引出孔を有し、当該糸引出孔は、ベースプレートがケーシングに保持された状態で上記糸掛ボスの中心よりも上記切断縁が設けられた側にオフセットされているのが好ましい。【００５１】
糸状体は糸引出孔から引き出されるから、糸状体は、糸引出孔の方へ引っ張られる。この糸引出孔は、糸掛ボスの中心よりも上記切断縁が設けられた側にオフセットされているから、糸状体は、上記第１縁部をより一層滑らかに移動する。したがって、糸状体は、なお一層ストレス無く円滑に引き出される。【００５２】
［１−(13)］上記糸巻と、上記一対の糸掛ボス間に巻き付けられた状態で保持された糸状体とを有する糸状体ユニットが構成され得る。この場合、当該糸状体は、上記補助プレートの第２側縁側から第１側縁側に向かって一方の糸掛ボスに巻き掛けられた後、当該糸状体とクロスして他方の糸掛ボスの方に導かれて上記補助プレートの第２側縁側から第１側縁側に向かって当該他方の糸掛ボスに８の字状を呈するように巻き掛けられているのが好ましい。【００５３】
糸状体が糸掛ボスに対して上記方向に巻き掛けられることによって、糸状体は、もっともストレス無く円滑に引き出される。【００５４】
［１−(A)］上記目的が達成されるため、本発明に係る糸状体ユニットは、センタープレート及び当該センタープレートの両側に連続する一対のサイドプレートを有し、センタープレートと各サイドプレートとの境界で屈曲されることによって各サイドプレートが対向する折畳姿勢と各サイドプレートが離反する展開姿勢との間で姿勢変化するベースプレートと、ベースプレートが折畳姿勢となった状態で端面同士が対向するように各サイドプレートに設けられた一対の糸掛ボスと、各糸掛ボスの端面に固定されると共に当該端面から上記センタープレート側へ延設されてベースプレートに固定された一対の補助プレートと、ベースプレートが展開姿勢となった状態で、一方の糸掛ボスに巻き掛けられた後に続いて他方の糸掛ボスに巻き掛けられることにより、一対の糸掛ボス間に８の字を呈するように巻き取られた長尺の糸状体と、糸状体、糸掛ボス及びベースプレートを当該ベースプレートが折畳姿勢となった状態で収容保持するケーシングと、ケーシングに設けられ、糸状体をケーシングの内部から外部へ案内する案内部とを備える。上記補助プレートは、上記端面にフランジを形成する円形部並びに上記ベースプレートに固定される底縁、当該底縁の一端に連続し且つ上記円形部の一端側に接するように延びた第１側縁、上記底縁の他端に連続し且つ上記円形部の他端側に接するように延びた第２側縁及び上記円形部に連続すると共に上記第１側縁と上記第２側縁とを接続する円弧縁を有する脚部を備えた板状部材が、上記各糸掛ボスの中心を結ぶ仮想中心線と平行に配置された仮想切断線に沿って切断されることにより形成され得る。上記糸状体は、上記補助プレートの上記仮想切断線に沿って切断された側から上記糸掛ボスに巻き取られているのが好ましい。【００５５】
上記糸状体は、この糸巻に保持される。糸状体としては、釣糸が例示される。糸状体は、次の要領で糸巻に巻き取られる。まず、ベースプレートが展開姿勢に変化され、センタープレートの両側に一対のサイドプレートが配置される。これにより、一対の糸掛ボスがベースプレートの両端部に配置される。続いて、糸状体の一方の端部がベースプレートの所定部位、例えば一対の糸掛ボスの中間に固定される。糸状体は、一方の糸掛ボスに巻き掛けられる。糸状体は補助プレートの上記仮想切断線に沿って切断された側から糸掛ボスに巻き掛けられる。さらに、この糸状体は、他方の糸掛ボスに巻き掛けられる。この場合も、糸状体は補助プレートの上記仮想切断線に沿って切断された側から糸掛ボスに巻き掛けられる。つまり、この糸状体は、互いにクロスするように一方の糸掛ボス及び他方の糸掛ボスに巻き掛けられる。この糸状体は、同様にして一対の糸掛ボス間に交互に連続して巻き掛けられる。すなわち、この糸状体は、８の字を呈するように一対の糸掛ボス間に巻き取られ、ベースプレートに保持される。この状態でベースプレートが折畳姿勢に変化される。これにより、一対の糸掛ボス間に８の字を呈するように巻き付けられていた糸状体は、ベースプレート内で環状に形成される。【００５６】
前述のように、糸状体が一対の糸掛ボス間に８の字を呈するように巻き付けられる。このため、当該糸状体が一方の糸掛ボスに巻かれる際に発生する撚りと、他方の糸掛ボスに巻かれる際に発生する撚りとが相殺され、結果的に糸状体が撚れることはない。糸状体は、強く引っ張られることなくきわめて緩やかに一対の糸掛ボスに巻き付けられる。糸状体が各糸掛ボスに巻き付けられた状態でベースプレートが折畳姿勢に変化されることにより、糸状体は環状に形成され、ほとんど無張力の状態でベースプレートに保持される。したがって、糸状体がベースプレートに長時間保持されたとしても巻き癖がつくことがない。【００５７】
この糸状体の使用者は、ベースプレートに保持された糸状体の他方の端部を引っ張ることにより、所望の長さの糸状体をベースプレートから引き出すことができる。このとき、一方の糸掛ボス及び他方の糸掛ボスに巻き掛けられた糸状体は、これら各糸掛ボスから交互にほどけるように引き出される。したがって、糸状体は、使用者の意に反して多量にベースプレートから引き出されることはない。【００５８】
糸状体が保持されている状態ではベースプレートが折畳姿勢となっている。すなわち、一対の糸掛ボスは互いに対向し、当該糸掛ボスに設けられた補助プレートも互いに対向している。糸状体は、一方の糸掛ボスに巻き掛けられた後に一方の補助プレートの脚部の第２側縁及び他方の補助プレートの脚部の第１側縁を経て他方の糸掛ボスに巻き掛けられ、続いて他方の補助プレートの脚部の第２側縁及び一方の補助プレートの脚部の第１側縁を経て一方の糸掛ボスに巻き掛けられる。つまり、糸状体は、一方の糸掛ボスに巻き掛けられた後に、螺旋ループを描くように当該一方の糸掛ボスと対向する他方の糸掛ボスに巻き掛けられ、その後同様に各糸掛ボスに交互に巻き掛けられる。糸状体は、幾重にも重なった螺旋ループ状に巻回される。このように螺旋ループ状に巻回された糸状体の他方の端部が引っ張られると、当該他方の端部に最も近いループが解け、続いて当該ループに隣り合うループが順に解ける。【００５９】
糸状体の螺旋ループは、次の要領で解ける。まず、上記他方の端部が引っ張られると、当該端部の直近の螺旋ループ、例えば一方の糸掛ボスに巻き掛けられている螺旋ループが絞られる。つまり、当該ループの径が小さくなる。このとき、当該糸状体は、一方の補助プレートの脚部の第１側縁、一方の糸掛ボス、一方の補助プレートの脚部の第２側縁に巻き掛けられているから、上記螺旋ループの径が小さくなると、当該糸状体は、上記一方の補助プレートの脚部の第１側縁に沿って当該脚部から円形部側へ移動する。しかも、当該第１側縁は途中で上記仮想切断線に沿って切断されているから、当該糸状体は、一方の補助プレートが変形しなくても上記第１側縁に沿って移動した後に円滑に一方の糸掛ボスから外れ、当該螺旋ループが解ける。そして、この螺旋ループに隣り合う螺旋ループも同様に解け、その結果、幾重にも巻回された糸状体は、ストレスなく解ける。【００６０】
［１−（B)］上記目的が達成されるため、本発明に係る糸状体ユニットの製造方法は、センタープレート及び当該センタープレートの両側に連続する一対のサイドプレートを有し、センタープレートと各サイドプレートとの境界で屈曲されることによって各サイドプレートが対向する折畳姿勢と各サイドプレートが離反する展開姿勢との間で姿勢変化するベースプレートと、ベースプレートが折畳姿勢となった状態で端面同士が対向するように各サイドプレートに設けられた一対の糸掛ボスと、各糸掛ボスの端面に固定されると共に当該端面から上記センタープレート側へ延設されてベースプレートに固定された一対の補助プレートとを有し、当該補助プレートは、上記端面にフランジを形成する円形部並びに上記ベースプレートに固定される底縁、当該底縁の一端に連続し且つ上記円形部の一端側に接するように延びた第１側縁、上記底縁の他端に連続し且つ上記円形部の他端側に接するように延びた第２側縁及び上記円形部に連続すると共に上記第１側縁と上記第２側縁とを接続する円弧縁を有する脚部を備えた板状部材が、上記各糸掛ボスの中心を結ぶ仮想中心線と平行に配置された仮想切断線に沿って切断されることにより形成されている糸巻に、上記ベースプレートが展開姿勢となった状態で、糸状体が一方の糸掛ボスに上記補助プレートの上記仮想切断線に沿って切断された側から巻き掛けられた後に続いて他方の糸掛ボスに上記補助プレートの上記仮想切断線に沿って切断された側から巻き掛けられることにより、一対の糸掛ボス間に８の字を呈するように巻き付けられる工程と、上記糸状体が各糸掛ボス間に巻き付けられた状態で上記ベースプレートが折畳姿勢に姿勢変化される工程と、折畳姿勢に姿勢変化されたベースプレートが、糸状体が引出可能な状態でケーシングに収容保持される工程とを含む。【００６１】
この製法によれば、糸巻は糸状体とは別個に製造され、糸巻に対して糸状体が巻き付けられることにより糸状体ユニットが完成する。換言すれば、糸巻のみが予め大量に製造され得る。したがって、部品としての糸巻が効率的に生産され、部品コストが削減される。予め大量に製造された糸状体が糸巻に効率的に巻き付けられる。したがって、糸状体を糸巻に巻き付ける作業のコストが低減される。その結果、糸巻ユニットが効率的に安価に製造され得るという利点がある。糸巻は、上記のように姿勢変化するベースプレートを備えているから、糸状体が使用された後は、ベースプレートが展開姿勢に変化されることにより、再び糸状体のみが糸巻に巻き付けられる。すなわち、糸巻のリサイクルが可能であり、ゴミの発生が抑制される。【００６２】
［２−(14)］上記目的が達成されるため、本発明に係る糸巻は、センタープレート及び当該センタープレートの両側に連続する一対のサイドプレートを有し、センタープレートと各サイドプレートとの境界で屈曲されることによって各サイドプレートが対向する折畳姿勢と各サイドプレートが離反する展開姿勢との間で姿勢変化するベースプレートと、ベースプレートが折畳姿勢となった状態で端面同士が対向するように各サイドプレートに設けられた一対の糸掛ボスと、各糸掛ボスの端面に設けられると共に当該端面から上記センタープレート側へ延設されてベースプレートに固定された一対の補助プレートと、上記サイドプレートの縁部から上記補助プレートの縁部に向かって延びる第１堤部とを備える。【００６３】
この糸巻は、長尺の糸状体を保持することができる。糸状体としては、釣糸が例示される。糸状体は、次の要領で糸巻に巻き取られる。まず、ベースプレートが展開姿勢に変化され、センタープレートの両側に一対のサイドプレートが配置される。これにより、一対の糸掛ボスがベースプレートの両端部に配置される。続いて、糸状体の一方の端部がベースプレートの所定部位、例えば一対の糸掛ボスの中間に固定される。糸状体は、一方の糸掛ボスに巻き掛けられる。さらに、この糸状体は、他方の糸掛ボスに巻き掛けられる。糸状体は互いにクロスするように一方の糸掛ボス及び他方の糸掛ボスに巻き掛けられる。同様にして、この糸状体は、一対の糸掛ボス間に交互に連続して巻き掛けられる。この糸状体は、８の字を呈するように一対の糸掛ボス間に巻き取られ、ベースプレートに保持される。この状態でベースプレートが折畳姿勢に変化される。一対の糸掛ボス間に８の字を呈するように巻き付けられていた糸状体は、ベースプレート内で幾重にも重なった螺旋ループ状に形成される。【００６４】
前述のように、糸状体が一対の糸掛ボス間に８の字を呈するように巻き付けられる。このため、当該糸状体が一方の糸掛ボスに巻かれる際に発生する撚りと、他方の糸掛ボスに巻かれる際に発生する撚りとが相殺され、結果的に糸状体が撚れることはない。糸状体は、強く引っ張られることなく緩やかに一対の糸掛ボスに巻き付けられ得る。糸状体が各糸掛ボスに巻き付けられた状態でベースプレートが折畳姿勢に変化されることにより、糸状体は環状に形成され、ほとんど無張力の状態でベースプレートに保持される。したがって、糸状体がベースプレートに長時間保持されたとしても巻き癖がつくことがない。【００６５】
この糸状体の使用者は、ベースプレートに保持された糸状体の他方の端部を引っ張ることにより、所望の長さの糸状体をベースプレートから引き出すことができる。このとき、一方の糸掛ボス及び他方の糸掛ボスに巻き掛けられた糸状体は、これら各糸掛ボスから交互に解けるように引き出される。したがって、糸状体は、使用者の意に反して多量にベースプレートから引き出されることはない。【００６６】
上記糸状体は、次の要領で引き出される。まず、上記他方の端部が引っ張られると、当該端部の直近に形成された糸状体のループ、例えば一方の糸掛ボスに巻き掛けられている糸状体のループが絞られる。つまり、当該ループの径が小さくなる。当該ループの径が小さくなると、当該糸状体は、上記一方の補助プレートの縁部に沿ってスライドする。このとき、当該糸状体は、一方の補助プレートが変形しなくても円滑に一方の糸掛ボスから外れ、当該ループが解ける。このループに隣り合うループも同様に解け、その結果、幾重にも巻回された糸状体は、ストレスなく順に解けることになる。【００６７】
前述のように、糸状体は糸掛ボスの周りにループ状に幾重にも巻回されている。糸状体は、その剛性により糸掛ボスを中心にして外側へ拡がる傾向にあるから、ループ状の糸状体が一気に解けてしまうおそれがある。前述のように、糸状体に撚りが生じないのは、一方の糸掛ボスに巻かれる際に発生する撚りと、他方の糸掛ボスに巻かれる際に発生する撚りとが相殺されるからである。但し、糸状体が引き出される場合、一つのループが解けていく際に、糸状体が一方の糸掛ボス側から外れた瞬間に撚りが発生する。この撚りは、当該糸状体が他方の糸掛ボスからも外れることによって相殺される。この撚りが相殺されるまでに当該糸状体が大きく拡がり、これに引きずられるようにして他のループが補助プレートの外側に外れてしまうことがある。そのため、糸状体が引き出される際に絡みついてしまうおそれがある。しかし、この糸巻は上記第１堤部を備えているから、糸状体が糸掛ボスを中心にして外側へ拡がることが抑制され、各ループが補助プレートから外側へ外れてしまうことが防止される。したがって、糸状体の絡みが防止され、糸状体が円滑に引き出される。【００６８】
［２−(15)］上記第１堤部は、当該第１堤部の先端が上記補助プレートに接触するように設けられているのが好ましい。【００６９】
この構成では、糸掛ボスに巻かれた状態の糸状体の拡がりが第１堤部によって確実に防止される。糸状体が引っ張られると当該糸状体に一定のテンションが発生する。このテンションによって糸状体は第１堤部の先端と補助プレートとの間をすり抜けて外部に引き出される。【００７０】
［２−(16)］上記第１堤部は、上記糸掛ボスを中心とする円弧状に形成された突条から構成されているのが好ましい。【００７１】
この構成によれば、仮に糸状体が糸掛ボスを中心に外側に拡がろうとしても、第１堤部が糸状体の周囲に均等に当接する。したがって、糸状体の拡がりが確実に防止される。【００７２】
［２−(17)］上記サイドプレートの側部に第２堤部がさらに設けられているのが好ましい。【００７３】
この構成によれば、サイドプレートの側部の方向へ糸状体が拡がろうとしても、第２堤部に糸状体が当接する。したがって、糸状体が糸掛ボスを中心にして外側へ拡がることがより一層防止される。特に、サイドプレートの側部方向への糸状体の拡がりが確実に防止される。【００７４】
［２−(18)］上記糸巻に糸状体が巻き付けられた状態で糸状体ユニットが構成される。糸状体は、一対の糸掛ボス間に巻き付けられた状態で保持される。具体的には、当該糸状体は、一方の糸掛ボスの一方側から他方側へ巻き掛けられた後、当該糸状体とクロスして他方の糸掛ボスの方に導かれて当該他方の糸掛ボスの一方側から他方側へ８の字状を呈するように巻き掛けられるのが好ましい。【００７５】
このように構成された糸状体ユニットは、上記第１堤部が設けられているから、糸状体が糸掛ボスを中心にして外側へ拡がることはない。したがって、糸状体の絡みが防止され、糸状体は、より一層滑らかに解けることになる。【００７６】
［３−(19)］上記目的が達成されるため、本発明に係る糸巻は、センタープレート及び当該センタープレートの両側に連続する一対のサイドプレートを有し、センタープレートと各サイドプレートとの境界で屈曲されることによって各サイドプレートが対向する折畳姿勢と各サイドプレートが離反する展開姿勢との間で姿勢変化するベースプレートと、ベースプレートが折畳姿勢となった状態で端面同士が対向するように各サイドプレートに設けられた一対の糸掛ボスと、各糸掛ボスの端面に設けられると共に当該端面から上記センタープレート側へ延設されてベースプレートに固定された一対の補助プレートと、上記補助プレートの縁部から上記サイドプレートの縁部に向かって延びる堤部とを備える。【００７７】
この糸巻は、長尺の糸状体を保持することができる。糸状体としては、釣糸が例示される。糸状体は、次の要領で糸巻に巻き取られる。まず、ベースプレートが展開姿勢に変化され、センタープレートの両側に一対のサイドプレートが配置される。これにより、一対の糸掛ボスがベースプレートの両端部に配置される。続いて、糸状体の一方の端部がベースプレートの所定部位、例えば一対の糸掛ボスの中間に固定される。糸状体は、一方の糸掛ボスに巻き掛けられる。さらに、この糸状体は、他方の糸掛ボスに巻き掛けられる。糸状体は互いにクロスするように一方の糸掛ボス及び他方の糸掛ボスに巻き掛けられる。同様にして、この糸状体は、一対の糸掛ボス間に交互に連続して巻き掛けられる。この糸状体は、８の字を呈するように一対の糸掛ボス間に巻き取られ、ベースプレートに保持される。この状態でベースプレートが折畳姿勢に変化される。一対の糸掛ボス間に８の字を呈するように巻き付けられていた糸状体は、ベースプレート内で幾重にも重なった螺旋ループ状に形成される。【００７８】
前述のように、糸状体が一対の糸掛ボス間に８の字を呈するように巻き付けられる。このため、当該糸状体が一方の糸掛ボスに巻かれる際に発生する撚りと、他方の糸掛ボスに巻かれる際に発生する撚りとが相殺され、結果的に糸状体が撚れることはない。糸状体は、強く引っ張られることなく緩やかに一対の糸掛ボスに巻き付けられ得る。糸状体が各糸掛ボスに巻き付けられた状態でベースプレートが折畳姿勢に変化されることにより、糸状体は環状に形成され、ほとんど無張力の状態でベースプレートに保持される。したがって、糸状体がベースプレートに長時間保持されたとしても巻き癖がつくことがない。【００７９】
この糸状体の使用者は、ベースプレートに保持された糸状体の他方の端部を引っ張ることにより、所望の長さの糸状体をベースプレートから引き出すことができる。このとき、一方の糸掛ボス及び他方の糸掛ボスに巻き掛けられた糸状体は、これら各糸掛ボスから交互に解けるように引き出される。したがって、糸状体は、使用者の意に反して多量にベースプレートから引き出されることはない。【００８０】
上記糸状体は、次の要領で引き出される。まず、上記他方の端部が引っ張られると、当該端部の直近に形成された糸状体のループ、例えば一方の糸掛ボスに巻き掛けられている糸状体のループが絞られる。つまり、当該ループの径が小さくなる。当該ループの径が小さくなると、当該糸状体は、上記一方の補助プレートの縁部に沿ってスライドする。このとき、当該糸状体は、一方の補助プレートが変形しなくても円滑に一方の糸掛ボスから外れ、当該ループが解ける。このループに隣り合うループも同様に解け、その結果、幾重にも巻回された糸状体は、ストレスなく順に解けることになる。【００８１】
前述のように、糸状体は糸掛ボスの周りにループ状に幾重にも巻回されている。糸状体は、その剛性により糸掛ボスを中心にして外側へ拡がる傾向にあるから、ループ状の糸状体が一気に解けてしまうおそれがある。前述のように、糸状体に撚りが生じないのは、一方の糸掛ボスに巻かれる際に発生する撚りと、他方の糸掛ボスに巻かれる際に発生する撚りとが相殺されるからである。但し、糸状体が引き出される場合、一つのループが解けていく際に、糸状体が一方の糸掛ボス側から外れた瞬間に撚りが発生する。この撚りは、当該糸状体が他方の糸掛ボスからも外れることによって相殺される。この撚りが相殺されるまでに当該糸状体が大きく拡がり、これに引きずられるようにして他のループが補助プレートの外側に外れてしまうことがある。そのため、糸状体が引き出される際に絡みついてしまうおそれがある。しかし、この糸巻は上記堤部を備えているから、糸状体が糸掛ボスを中心にして外側へ拡がることが抑制され、各ループが補助プレートから外側へ外れてしまうことが防止される。したがって、糸状体の絡みが防止され、糸状体が円滑に引き出される。【００８２】
上記糸状体は、サイドプレートが展開姿勢にある状態で一対の糸掛ボスに巻き掛けられて、その後サイドプレートが折畳姿勢に変化されることにより、前述のような多重螺旋ループ状に形成されている。このため、糸状体は、多重螺旋ループの中央（折り畳まれた糸状体の中央）から引き出される。【００８３】
上記サイドプレートが折畳姿勢となったときは、当該サイドプレートの内側に上記補助プレートが配置される。したがって、上記堤部は、補助プレートからサイドプレートに向かって、すなわち折り畳まれたサイドプレートの中央から外側に突出する。このため、上記糸状体は、上記多重螺旋ループの中央から引き出され、上記堤部によってサイドプレート側へ導かれる。つまり、糸状体は、多重螺旋ループの中央から一旦外側へ導かれた後に外部へ引き出される。【００８４】
前述のように、糸状体が引っ張られて一の螺旋ループが解けていく際に、当該螺旋ループに隣り合う螺旋ループあるいは当該螺旋ループの近傍に位置する螺旋ループが引きずられて当該糸状体と一緒に引き出される可能性がある。その場合、当該糸状体が引っ張られる方向と螺旋ループが引きずられる方向とが略一致するならば、引きずられる螺旋ループと引き出される糸状体とが絡み合う可能性が高くなる。この構成では、引っ張られる糸状体は堤部によって一旦外側へ導かれるから、当該糸状体が引っ張られる方向と螺旋ループが引きずられる方向とが異なる。したがって、仮に螺旋ループが引きずられたとしても、引っ張られる糸状体と絡みつくことが確実に防止される。【００８５】
［３−(20)］上記堤部は、当該堤部の先端が上記サイドプレートに接触するように設けられているのが好ましい。【００８６】
この構成では、糸掛ボスに巻かれた状態の糸状体の拡がりが堤部によって確実に防止される。糸状体が引っ張られると当該糸状体に一定のテンションが発生する。このテンションによって糸状体は堤部の先端とサイドプレートとの間をすり抜けて外部に引き出される。【００８７】
［３−(21)］上記堤部は、上記糸掛ボスを中心とする円弧状に形成された突条から構成されているのが好ましい。【００８８】
この構成によれば、仮に糸状体が糸掛ボスを中心に外側に拡がろうとしても、堤部が糸状体の周囲に均等に当接する。したがって、糸状体の拡がりが確実に防止される。【００８９】
［３−(22)］上記糸巻に糸状体が巻き付けられた状態で糸状体ユニットが構成される。糸状体は、一対の糸掛ボス間に巻き付けられた状態で保持される。具体的には、当該糸状体は、一方の糸掛ボスの一方側から他方側へ巻き掛けられた後、当該糸状体とクロスして他方の糸掛ボスの方に導かれて当該他方の糸掛ボスの一方側から他方側へ８の字状を呈するように巻き掛けられるのが好ましい。【００９０】
このように構成された糸状体ユニットは、上記堤部が設けられているから、糸状体が糸掛ボスを中心にして外側へ拡がることはない。したがって、糸状体の絡みが防止され、糸状体は、より一層滑らかに解けることになる。【００９１】
［４−(23)］上記目的が達成されるため、本発明に係る糸巻は、センタープレート及び当該センタープレートの両側に連続する一対のサイドプレートを有し、センタープレートと各サイドプレートとの境界で屈曲されることによって各サイドプレートが対向する折畳姿勢と各サイドプレートが離反する展開姿勢との間で姿勢変化するベースプレートと、先端面を有し、ベースプレートが折畳姿勢となった状態で当該先端面同士が対向するように各サイドプレートに設けられた一対の糸掛ボスと、各糸掛ボスの先端面に設けられると共に当該先端面から上記センタープレート側へ延びてベースプレートに連結された一対の補助プレートと、折畳姿勢のベースプレートの周囲を被覆して当該ベースプレート、糸掛ボス及び補助プレートを収容保持するケーシングとを備える。このケーシングは、一対の糸掛ボス間に巻き取られた糸状体が挿通し得る糸引出孔を有し、当該糸引出孔は、ベースプレートがケーシングに保持された状態で各糸掛ボスの中心を通る仮想軸線に直交し且つサイドプレートの長手方向に沿う仮想中心線に対して糸掛ボスの径方向にオフセットされた位置に設けられている。【００９２】
この糸巻は、長尺の糸状体を保持することができる。糸状体としては、釣糸が例示される。糸状体は、次の要領で糸巻に巻き取られる。まず、ベースプレートが展開姿勢に変化され、センタープレートの両側に一対のサイドプレートが配置される。これにより、一対の糸掛ボスがベースプレートの両端部に配置される。糸状体の一方の端部がベースプレートの所定部位、例えば一対の糸掛ボスの中間に固定される。糸状体は、一方の糸掛ボスに巻き掛けられる。さらに、この糸状体は、他方の糸掛ボスに巻き掛けられる。この場合に、糸状体は互いにクロスするように一方の糸掛ボス及び他方の糸掛ボスに巻き掛けられる。同様にして、この糸状体は、一対の糸掛ボス間に交互に連続して巻き掛けられる。この糸状体は、８の字を呈するように一対の糸掛ボス間に巻き取られ、ベースプレートに保持される。この状態でベースプレートが折畳姿勢に変化される。これにより、一対の糸掛ボス間に８の字を呈するように巻き付けられていた糸状体は、ベースプレート内で幾重にも重なった螺旋ループ状に形成される。そして、折畳姿勢に変化したベースプレートは、ケーシングに収容され糸状体と共に保持される。【００９３】
前述のように、糸状体が一対の糸掛ボス間に８の字を呈するように巻き付けられるから、当該糸状体が一方の糸掛ボスに巻かれる際に発生する撚りと、他方の糸掛ボスに巻かれる際に発生する撚りとが相殺され、結果的に糸状体が撚れることはない。糸状体は、強く引っ張られることなく緩やかに一対の糸掛ボスに巻き付けられる。このため、糸状体が各糸掛ボスに巻き付けられた状態でベースプレートが折畳姿勢に変化されると、糸状体は環状に形成され、ほとんど無張力の状態でベースプレートに保持される。したがって、糸状体がベースプレートに長時間保持されたとしても巻き癖がつくことがない。【００９４】
糸状体は、ケーシングの糸引出孔から外部に導かれている。この糸状体を使用しようとする者は、糸状体の他方の端部を引っ張ることにより、所望の長さの糸状体を糸引出孔から引き出すことができる。このとき、一方の糸掛ボス及び他方の糸掛ボスに巻き掛けられた糸状体は、これら各糸掛ボスから交互にほどけるように引き出される。すなわち、幾重にもループ状に巻回された糸状体は、各ループが一つづつ消滅するように上記糸引出孔から引き出される。【００９５】
糸引出孔は、上記仮想中心線に対して糸掛ボスの径方向にオフセットされている。この仮想中心線の方向は、各糸掛ボスの中心を通る仮想軸線に直交し且つサイドプレートの長手方向に沿う方向である。つまり、仮想中心線はケーシングの中心を貫いており、糸引出孔は、ケーシングの中心から変位した位置に設けられている。前述のように、糸状体は幾重にも重ねられたループ状に形成されているから、糸状体が引っ張られることにより、各ループが解けて消滅するようにケーシングから引き出される。したがって、糸引出孔が前述のようにオフセットされていることにより、上記ループが解けやすくなる。これにより、糸状体は、補助プレート等に強く摺動することなく滑らかにストレス無く解けることになる。【００９６】
［４−(24)］上記糸巻に糸状体が巻き付けられた状態で糸状体ユニットが構成される。糸状体は、前述のように、一対の糸掛ボス間に巻き付けられた状態で保持される。具体的には、当該糸状体は、一方の糸掛ボスの一方側から他方側へ巻き掛けられた後、当該糸状体とクロスして他方の糸掛ボスの方に導かれて当該他方の糸掛ボスの一方側から他方側へ８の字状を呈するように巻き掛けられるのが好ましい。そして、糸引出孔は、上記仮想中心線に対して上記糸掛ボスの他方側にオフセットされているのが好ましい。【００９７】
この糸状体ユニットでは、糸状体が引き出される際に、一対の糸掛ボスに環状に巻回された糸状体が解け始める側に糸引出孔が配置されている。したがって、糸状体は、より一層滑らかに解けることになる。【００９８】
［５−(25)］上記目的が達成されるため、本発明に係る糸巻は、センタープレート及び当該センタープレートの両側に連続する一対のサイドプレートを有し、センタープレートと各サイドプレートとの境界で屈曲されることによって各サイドプレートが対向する折畳姿勢と各サイドプレートが離反する展開姿勢との間で姿勢変化するベースプレートとを備える。ベースプレートが折畳姿勢となった状態で端面同士が対向するように、一対の糸掛ボスが各サイドプレートに設けられている。当該糸巻は、各糸掛ボスの端面に設けられると共に当該端面から上記センタープレート側へ延設されてベースプレートに固定された一対の補助プレートとを有する。当該糸巻は、各補助プレートを連結するように各補助プレートと一体的に形成された帯状の底縁部を有する。当該底縁部は、上記ベースプレートが折畳姿勢に変化したときに、当該底縁部の両端部が一方の補助プレートの内側及び他方の補助プレートの内側に対称に折り返されるための一対の第１折曲補助線と、当該底縁部の中間部が上記ベースプレート側に凸となるように湾曲されるための一対の第２折曲補助線とを備える。【００９９】
この糸巻は、長尺の糸状体を保持することができる。糸状体としては、釣糸が例示される。糸状体は、次の要領で糸巻に巻き取られる。まず、ベースプレートが展開姿勢に変化され、センタープレートの両側に一対のサイドプレートが配置される。この状態で、一対の糸掛ボスがベースプレートの両端部に配置されることになる。続いて、糸状体の一方の端部がベースプレートの所定部位、例えば一対の糸掛ボスの中間に固定される。糸状体は、一方の糸掛ボスに巻き掛けられ、さらに、他方の糸掛ボスに巻き掛けられる。この糸状体は、例えば一方の糸掛ボスに時計回りに巻き掛けられ、他方の糸掛ボスに反時計回りに巻き掛けられる。糸状体は、互いにクロスするように一方の糸掛ボス及び他方の糸掛ボスに巻き掛けられる。同様にして、この糸状体は、一対の糸掛ボスに交互に連続して巻き掛けられる。すなわち、この糸状体は、８の字を呈するように一対の糸掛ボス間に巻き取られ、ベースプレートに保持される。この状態でベースプレートが折畳姿勢に変化される。これにより、一対の糸掛ボスに８の字を呈するように巻き付けられていた糸状体は、ベースプレート内で環状に形成される。【０１００】
前述のように、糸状体が一対の糸掛ボスに８の字を呈するように巻き付けられるから、当該糸状体が一方の糸掛ボスに巻かれる際に発生する撚りと、他方の糸掛ボスに巻かれる際に発生する撚りとが相殺され、結果的に糸状体が撚れることはない。糸状体は、強く引っ張られることなくきわめて緩やかに一対の糸掛ボスに巻き付けられる。糸状体が各糸掛ボスに巻き付けられた状態でベースプレートが折畳姿勢に変化されると、糸状体は環状に形成され、ほとんど無張力の状態でベースプレートに保持される。したがって、糸状体がベースプレートに長時間保持されたとしても巻き癖がつくことがない。【０１０１】
この糸状体の使用者は、ベースプレートに保持された糸状体の他方の端部を引っ張ることにより、所望の長さの糸状体をベースプレートから引き出すことができる。このとき、一方の糸掛ボス及び他方の糸掛ボスに巻き掛けられた糸状体は、これら各糸掛ボスから交互に解けるように引き出される。したがって、糸状体は、使用者の意に反して一気に多量にベースプレートから引き出されることはない。【０１０２】
上記糸状体は、次の要領で引き出される。まず、糸状体の他方の端部が引っ張られると、当該端部の直近に形成された糸状体のループ、例えば一方の糸掛ボスに巻き掛けられている糸状体のループが絞られる。つまり、当該ループの径が小さくなる。当該ループの径が小さくなると、当該糸状体は、上記一方の補助プレートに沿ってスライドし、一方の糸掛ボスから外れ、当該ループが解ける。このループに隣り合うループも同様に解け、その結果、幾重にも巻回された糸状体は、ストレスなく順に解ける。【０１０３】
本発明では、底縁部によって一対の補助プレートが連結され、一対の補助プレートは、単一の部品として構成される。したがって、ベースプレートが折畳姿勢に変化したときは、重ね合わされたベースプレート及び補助プレートが折り畳まれることになる。一般に２枚のシートが重ね合わされた状態で折り畳まれると、内側のシートに弛みが生じる。したがって、ベースプレートが折畳姿勢に変化すると、補助プレートに弛みが生じる。この弛みは補助プレートの弾性変形を起こす。補助プレートの一部が内側に凸となるように変形した場合、補助プレート間に形成される空間が狭くなり、糸掛ボスに巻き取られた糸状体が圧迫されるなどの不都合が生じる。【０１０４】
しかし、上記第１折曲補助線及び第２折曲補助線が設けられているから、ベースプレートが折畳姿勢に変化すると、上記底縁部は、第１折曲補助線が設けられた部分及び第２折曲補助線が設けられた部分で屈曲される。すなわち、底縁部の両端部が一方の補助プレートの内側及び他方の補助プレートの内側に対称に折り返されると共に、当該底縁部の中間部が上記ベースプレート側に凸となるように湾曲される。これにより、補助プレート間に形成される空間が狭くならず、糸掛ボスに巻き取られた糸状体が圧迫されるなどの不都合が生じない。【０１０５】
［５−(26)］上記サイドプレートは、上記センタープレートに対して蛇腹状に折り畳まれるための第３折曲補助線を備えているのが好ましい。【０１０６】
この構成では、サイドプレートがセンタープレートに対して蛇腹状に折り畳まれるから、ベースプレートが折畳姿勢に変化したときは、ベースプレートの長さが短くなる。すなわち、糸巻全体の全長が短くなり、糸巻の使用者にとってコンパクトで使いやすいものとなる。【０１０７】
糸巻について単なるコンパクト設計を行うことは簡単である。ところが、一対の糸掛ボス間の距離が短くなると、所定長さの糸状体が各糸掛ボス間に巻き取られる場合に巻き回数が増加して巻取作業のコストが増大する。本発明では、サイドプレートがセンタープレートに対して蛇腹状に折り畳まれるから、ベースプレートが展開姿勢のときは一対の糸掛ボス間の距離が長くなり、ベースプレートが折畳姿勢のときは一対の糸掛ボス間の距離が短くなる。したがって、ベースプレートが展開姿勢に変化した状態で糸状体が巻き取られることにより、所定長さの糸状体が各糸掛ボス間に巻き取られる際の巻き回数が少なくなり、巻取作業のコストの増大が避けられる。
【発明の効果】
【０１０８】
本発明に係る糸巻は、巻き癖を付けることなく糸状体を巻き取ることができるので、この糸巻に糸状体が巻き付けられた糸巻ユニットでは、当該糸巻から引き出された糸状体は、真直で滑らかな状態が維持される。糸状体は、滑らかにストレス無く引き出されるので、糸状体が損傷を受けることがない。糸状体が補助プレート等に強く摺動することが防止されるので、補助プレートは可撓性を備えている必要はなく、補助プレートを構成する材料は特に限定されることはない。その結果、安価な糸巻が提供され得る。
【発明を実施するための最良の形態】
【０１０９】
以下、適宜図面が参照されつつ、好ましい実施形態に基づいて本発明が詳細に説明される。【０１１０】
＜第１の実施形態＞【０１１１】
図１は、本発明の第１の実施形態に係る糸状体ユニットの斜視図である。図２は、この糸状体ユニットの分解斜視図である。【０１１２】
この糸状体ユニット１０は、糸巻１１と、この糸巻１１に巻き取られて保持された糸状体１２と、糸状体１２及び糸巻１１を収容するケーシング１３とを備えている。本実施形態では、糸状体１２は釣糸である。したがって、本実施形態に係る糸状体ユニット１０は、釣糸が糸巻に巻き取られた釣糸ユニットとして構成されている。もっとも、糸状体１２は釣糸に限定されるものではない。【０１１３】
図３は、上記糸巻１１の拡大斜視図である。図４は、糸巻１１の平面図、図５は、図４におけるＶ−Ｖ断面図である。【０１１４】
図２及び図３が示すように、糸巻１１は、ベースプレート１４と、糸掛ボス１５、１６と、補助プレート１７、１８とを備えている。【０１１５】
ベースプレート１４は、樹脂、紙、金属等からなる。ベースプレート１４は、薄肉の平板からなり、細長の矩形に形成されている。ベースプレート１４は、センタープレート５３と、サイドプレート５４、５５とを備えている。サイドプレート５４は、センタープレート５３の一方側に設けられ、サイドプレート５５は、センタープレート５３の他方側に設けられている。本実施形態では、各サイドプレート５４、５５は、センタープレート５３と一体的に形成されている。サイドプレート５４は、センタープレート５３に対して折り曲げられるようになっている。すなわち、サイドプレート５４は、第１境界部位１９でセンタープレート５３に対して屈曲可能となっている。サイドプレート５５もセンタープレート５３に対して折り曲げられるようになっている。すなわち、サイドプレート５５は、第２境界部位２０でセンタープレート５３に対して屈曲可能となっている。このため、ベースプレート１４は、図３が示すように真直に延びた姿勢（展開姿勢）と、当該姿勢から図２が示すように折り曲げられた姿勢（折畳姿勢）との間で姿勢変化することができる。ベースプレート１４が折畳姿勢となったときは、サイドプレート５４、５５同士が対向する（図２及び図９参照）。ベースプレート１４が展開姿勢となったときは、ベースプレート１４の両端部同士（すなわち、サイドプレート５４、５５同士）がセンタープレート５３を中心に対称に離反する（図３及び図４参照）。【０１１６】
糸掛ボス１５及び糸掛ボス１６は、樹脂、木材、金属等からなる。糸状体１２は、後述の要領で糸掛ボス１５、１６に巻き掛けられる。本実施形態では、糸掛ボス１５は、円柱状に形成されている。したがって、糸掛ボス１５の外周面２２は円弧状に形成されており、糸掛ボス１５に巻き掛けられた糸状体１２は、円弧を呈する。糸掛ボス１５は、サイドプレート５４の内面２３に立設されており、ベースプレート１４が折畳姿勢となった状態で内側に突出する。この糸掛ボス１５の軸方向２９（仮想軸線の方向）の寸法（図３において上下方向の寸法ｔ）は、例えば５ｍｍ〜１０ｍｍに設定される。ただし、この寸法ｔは、糸状体１２の線径に対応して適宜設計変更され得る。【０１１７】
糸掛ボス１６は、糸掛ボス１５と同様の構造を有する。すなわち、糸掛ボス１６は、円柱状に形成されており、その外周面２４は円弧状に形成されている。したがって、糸掛ボス１６に巻き掛けられた糸状体１２は、円弧を呈する。糸掛ボス１６は、糸掛ボス１５と同様にベースプレート１４のサイドプレート５５の内面２１に立設されており、ベースプレート１４が折畳姿勢となった状態で内側に突出する。すなわち、糸掛ボス１６は、センタープレート５３を基準として糸掛ボス１５と対称位置に配置されており、ベースプレート１４が折畳姿勢に変化したときは、糸掛ボス１５の先端面２５と糸掛ボス１６の先端面２６とが対向する。糸掛ボス１６の軸方向３０（仮想軸線の方向）の寸法（同図において上下方向の寸法）は、糸掛ボス１５の軸方向２９の寸法ｔと同様に５ｍｍ〜１０ｍｍに設定される。ただし、糸掛ボス１６側の軸方向３０の寸法は、糸掛ボス１５の軸方向２９の寸法ｔに応じて変化し、糸掛ボス１５の軸方向２９の寸法ｔと同一寸法に設定される。【０１１８】
本実施形態では、糸掛ボス１５、１６は、円柱状に形成されているが、これら糸掛ボス１５、１６の形状は円柱状に限定されるものではない。すなわち、これら糸掛ボス１５、１６は、巻き掛けられた糸状体１２が滑らかな曲線状を呈するような外周面を備えていれば十分であり、糸掛ボス１５、１６は、他の種々の形状が採用され得る。したがって、糸掛ボス１５、１６は、断面が半円形の柱状に形成されていてもよいし、外周面の一部に曲面を有する異形の柱状に形成されていてもよい。なお、本明細書において、ベースプレート１４が展開姿勢に変化した状態で、糸掛ボス１５の中心と糸掛ボス１６の中心とを結ぶ仮想線は、仮想中心線５８（図４参照）と定義される。【０１１９】
補助プレート１７は、樹脂、金属等からなる。補助プレート１７は、薄肉の板状部材からなる。図３及び図５が示すように、補助プレート１７は、糸掛ボス１５の先端面２５に固定されている。補助プレート１７の固定手段は、接着剤のほか熱融着その他の既知の固着手段が採用され得る。図３及び図４が示すように、この補助プレート１７は、糸掛ボス１５に固定されると共にセンタープレート５３側へ延びて上記第１境界部位１９に連結されている。糸掛ボス１５の先端面２５と上記第１境界部位１９との間には高低差があるため、補助プレート１７の中間部分が折り曲げられている。【０１２０】
この補助プレート１７は、円形部２７と、脚部２８とを備えている。本実施形態では、円形部２７は、脚部２８と一体的に形成されている。図４が示すように、円形部２７は、二点差線５６で示される円形に形成されている。換言すれば、二点鎖線５６は、円形部２７の外形を規定している。円形部２７の一部は、後に詳述される仮想切断線５７に沿って切断されている。脚部２８は、円形部２７に連続してセンタープレート５３側へ延びている。この脚部２８の幅方向寸法Wは、円形部２７からセンタープレート５３側へ向かう向きに沿って漸次小さくなっている。ここで、上記幅方向寸法Wとは、上記円形部２７の径方向であって仮想中心線５８に直交する方向の寸法である。【０１２１】
円形部２７の中心は、糸掛ボス１５の中心と一致されている。円形部２７は、糸掛ボス１５の先端面２５に設けられたフランジを構成している。【０１２２】
脚部２８は、略台形状に形成されている。脚部２８は、底縁５９、第１側縁６０、第２側縁６１及び円弧縁６２を備えている。脚部２８の底縁５９は、上記第１境界部位１９に固定されており、仮想中心線５８を中心として上記寸法Ｗの方向に対称に延びている。第１側縁６０及び第２側縁６１は、仮想中心線５８を中心として上記寸法Ｗの方向に対称に配置されている。第１側縁６０は、底縁５９の一端に連続して円形部２７の一端側（図４において上側）へ延びている。第１側縁６０は、円形部２７を規定する上記二点鎖線５６に外接している。第２側縁６１は、底縁５９の他端に連続して円形部２７の他端側（図４において下側）へ延びている。第２側縁６１も円形部２７を規定する上記二点鎖線５６に外接している。円弧縁６２は、円形部２７に連続している。すなわち、円弧縁６２は、第１側縁６０と第２側縁６１とを連続するものであり、上記二点鎖線５６と一致している。前述のように、円形部２７と脚部２８とが一体的に形成されているから、円弧縁６２は、円形部２７と脚部２８との仮想の境界を示すものである。【０１２３】
上記仮想切断線５７は、上記仮想中心線５８と平行に配置されている。仮想切断線５７は、仮想中心線５８から距離Ｓの位置に配置されている。この距離Ｓは、
ｄ／２＜Ｓ≦Ｄ／２−（Ｄ−ｄ）／６    −−−−−−−−−−（１）
で示される範囲に設定される。但し、ｄは糸掛ボス１５の外径であり、Ｄは円形部２７の外径である。【０１２４】
補助プレート１８も樹脂、金属等からなり、補助プレート１７と同様の構造である。なお、図３では、補助プレート１８及び糸掛ボス１６の構造が明瞭に図示されるように、補助プレート１８が起立した状態で描かれている。ただし、実際には、補助プレート１８は、糸掛ボス１６に固定されている。図４及び図５が示すように、補助プレート１８は、センタープレート５３を基準にして補助プレート１７と対称に配置されている。【０１２５】
補助プレート１８は、糸掛ボス１６の先端面２６に固定されている。補助プレート１８の固定手段は、接着剤のほか熱融着その他の既知の固着手段が採用され得る。図３及び図４が示すように、この補助プレート１８は、糸掛ボス１６に固定されると共にセンタープレート５３側へ延びて上記第２境界部位２０に連結されている。補助プレート１８は、円形部６４と、脚部６５とを備えている。本実施形態では、円形部６４は、脚部６５と一体的に形成されている。図４が示すように、円形部６４は、二点差線６６で示される円形に形成されている。換言すれば、二点鎖線６６は、円形部６４の外形を規定している。円形部６４の一部は、上記仮想切断線５７に沿って切断されている。脚部６５は、円形部６４に連続してセンタープレート５３側へ延びている。この脚部６５の幅方向寸法Wは、円形部６４からセンタープレート５３側へ向かう向きに沿って漸次小さくなっている。ここで、上記幅方向寸法Wとは、上記円形部６４の径方向であって仮想中心線５８に直交する方向の寸法である。【０１２６】
円形部６４の中心は、糸掛ボス１６の中心と一致されている。円形部６４は、糸掛ボス１６の先端面２６に設けられたフランジを構成している。【０１２７】
脚部６５は、略台形状に形成されている。脚部６５は、底縁６９、第１側縁７０、第２側縁７１及び円弧縁７２を備えている。底縁６９は、上記第２境界部位２０に固定されており、仮想中心線５８を中心として上記寸法Ｗの方向に対称に延びている。第１側縁７０及び第２側縁７１は、仮想中心線５８を中心として上記寸法Ｗの方向に対称に配置されている。第１側縁７０は、底縁６９の一端に連続して円形部６４の一端側（図４において上側）へ延びている。第１側縁７０は、円形部６４を規定する上記二点鎖線６６に外接している。また、第２側縁７１は、底縁６９の他端に連続して円形部６４の他端側（図４において下側）へ延びている。第２側縁７１も円形部６４を規定する上記二点鎖線６６に外接している。円弧縁７２は、円形部６４に連続している。すなわち、円弧縁７２は、第１側縁７０と第２側縁７１とを連続するものであり、上記二点鎖線６６と一致している。前述のように、円形部６４と脚部６５とは一体的に形成されているから、円弧縁７２は、円形部６４と脚部６５との仮想の境界を示すものである。【０１２８】
上記仮想切断線５７は、補助プレート１７を切断する仮想切断線５７と一致しており、上記仮想中心線５８と平行に配置されている。すなわち、補助プレート１８を切断する仮想切断線５７は、仮想中心線５８から距離Ｓの位置に配置されている。この距離Ｓは、
ｄ／２＜Ｓ≦Ｄ／２−（Ｄ−ｄ）／６    −−−−−−−−−−（１）
で示される範囲に設定される。但し、ｄは糸掛ボス１６の外径であり、Ｄは円形部６４の外径である。【０１２９】
補助プレート１７及び補助プレート１８が上記仮想切断線５７で切断されることにより、上記第１側縁６０、７０が屈曲され、真直縁６３、７３（真直な切断縁）が形成される。上記第１側縁６０、７０が屈曲され且つ真直縁６３、７３が形成されることによる作用効果は、後述される。【０１３０】
図１及び図２が示すように、ケーシング１３は、直方体の箱状に形成されている。本実施形態では、ケーシング１３は、樹脂や紙等から構成される。ケーシング１３の前面に開口が設けられている。この開口に連続してケーシング１３の内部に収容室３５が区画されている。折畳姿勢となったベースプレート１４は、収容室３５に収容される。この収容室３５は、折畳姿勢となったベースプレート１４の外形形状に対応して形成されている。このため、ベースプレート１４が図２において矢印３７の向きに沿って収容室３５に収容された状態では、ケーシング１３は、ベースプレート１４の周囲を囲繞した状態で所定の保持力で当該ベースプレート１４を保持する。【０１３１】
ケーシング１３は、前面蓋３６を備えている。この前面蓋３６は、ケーシング１３と一体的に形成されており、上記収容室３５の開口を開閉することができる。この前面蓋３６は、面ファスナー３８（図１参照）を備えている。この面ファスナー３８は、フックテープ３９及びループテープ４０を有する（図２参照）。ループテープ４０がケーシング１３に設けられ、フックテープ３９が前面蓋３６側の内側に設けられている。したがって、前面蓋３６が閉じられたときは、フックテープ３９とループテープ４０とが係合し、前面蓋３６は、閉じた状態が維持される。なお、本実施形態では、前面蓋３６がケーシング１３に設けられているが、この前面蓋３６がベースプレート１４に設けられていてもよい。【０１３２】
図６は、前面蓋３６の要部拡大断面図である。【０１３３】
図１及び図２が示すように、前面蓋３６は、ガイドリング４１を備えている。このガイドリング４１は、樹脂、金属その他の材料からなる。典型的には、ガイドリング４１は、ＳｉＣ（シリコーンカーバイド）から構成される。図６が示すように、ガイドリング４１は、チューブ状に形成されている。ガイドリング４１は、前面蓋３６を貫通し、当該前面蓋３６に固定されている。具体的には、ガイドリング４１は、リング本体４２と固定具４３とを備えている。リング本体４２及び固定具４３は、それぞれ貫通孔４４、４５を備えている。リング本体４２は、前面蓋３６の内側から当該前面蓋３６を貫通して嵌め込まれている。固定具４３は、前面蓋３６を貫通したリング本体４２に当該前面蓋３６の外側から嵌め込まれている。したがって、リング本体４２及び固定具４３は、協働して前面蓋３６を挟み込み、これにより、ガイドリング４１が前面蓋３６に取り付けられている。【０１３４】
ガイドリング４１が前面蓋３６に取り付けられた状態で、上記貫通孔４４、４５が連通し、ケーシング１３の内部と外部とを連通する挿通孔４６（糸引出孔）が構成される。上記糸状体１２は、この挿通孔４６に挿通され、ケーシング１３の内部から外部へと円滑に案内される。本実施形態では、この挿通孔４６の一部が拡径されている。具体的には、上記貫通孔４４の内径寸法は、ケーシング１３の内側に向かって漸次大きくなるように設定されている。つまり、挿通孔４４は、ケーシング１３の内側に向かって開く漏斗状に形成されている。挿通孔４６がかかる形状に形成されることによる作用効果については後述される。【０１３５】
図７は、ケーシング１３の要部拡大断面図である。【０１３６】
図１及び図２が示すように、ケーシング１３は糸止具４７を備えている。図７が示すように、この糸止具４７は、円形の平板からなる。糸止具４７は、中央部４８と外縁部４９とを有し、外縁部４９は、中央部４８の周縁に連続して若干上方へ折り曲げられている。この糸止具４７は、糸状体１２を仮保持する。具体的には、図１が示すように、ケーシング１３から引き出された糸状体１２の先端部が、ケーシング１３と外縁部４９との間に形成される隙間５０（図７参照）に押し込まれる。これにより、糸状体１２は、糸止具４７に保持される。ただし、糸状体１２が引っ張られることにより、糸状体１２は、簡単に糸止具４７から離脱する。【０１３７】
図８は、糸状体１２の巻取要領を模式的に示す図である。同図（ａ）は平面図であり、同図（ｂ）は側面図である。【０１３８】
前述のように、本実施形態では糸状体１２は釣糸である。ベースプレート１４が展開姿勢に変化された状態で、糸状体１２の一端５１がベースプレート１４の内面２３に固定される。糸状体１２の固定位置は特に限定されるものではない。本実施形態では、糸状体１２は、両糸掛ボス１５、１６中間に固定されている。この糸状体１２は、ベースプレート１４と補助プレート１７との間を糸掛ボス１５の方に引き回され、当該糸掛ボス１５の外周面２２に時計回りに巻き掛けられる。続いて、糸状体１２は、ベースプレート１４と補助プレート１７との間からベースプレート１４と補助プレート１８との間に引き回され、当該糸掛ボス１６の外周面２４に反時計回りに巻き掛けられる。さらに、糸状体１２は、ベースプレート１４と補助プレート１８との間からベースプレート１４と補助プレート１７との間に引き回される。このとき、糸状体１２は、当該糸状体１２とクロスするように引き回される。そして、当該糸状体１２は、糸掛ボス１５の外周面２２に時計回りに巻き掛けられた後、前述と同様に糸掛ボス１６に巻き掛けられる。なお、本実施形態では、糸状体１２は、糸掛ボス１５の外周面２２に時計回りに巻き掛けられた後、糸掛ボス１６の外周面２４に反時計回りに巻き掛けられるが、糸状体１２は、糸掛ボス１５の外周面２２に反時計回りに巻き掛けられた後、糸掛ボス１６の外周面２４に時計回りに巻き掛けられてもよい。【０１３９】
換言すれば、ベースプレート１４が展開姿勢に変化された状態で、糸状体１２の一端５１が前述の位置に固定される。糸状体１２は、一方の糸掛ボス１５に巻き掛けられる。このとき、糸状体１２は補助プレート１７の真直縁６３が設けられた側（上記仮想切断線５７に沿って切断された側）から糸掛ボス１５に巻き掛けられる。さらに、この糸状体１２は、他方の糸掛ボス１６に巻き掛けられる。この場合も、糸状体１２は補助プレート１８の真直縁７３（上記仮想切断線５７に沿って切断された側）から糸掛ボス１６に巻き掛けられる。つまり、この糸状体１２は、互いにクロスするように糸掛ボス１５及び糸掛ボス１６に巻き掛けられる。この糸状体１２は、同様にして一対の糸掛ボス１５、１６間に交互に連続して巻き掛けられる。【０１４０】
この糸状体１２は、８の字を呈するように一対の糸掛ボス１５、１６間に巻き取られ、ベースプレート１４に保持される。なお、所定長さの糸状体１２がベースプレート１４に巻き付けられると、当該糸状体１２が切断され、その他端５２が糸巻１１から外部へ導かれる（図８、図１参照）。糸状体１２は、一対の糸掛ボス１５、１６間に８の字を呈するように巻き付けられるから、糸状体１２が糸掛ボス１５に巻かれる際に発生する撚りと、糸掛ボス１６に巻かれる際に発生する撚りとが相殺され、結果的に糸状体１２が撚れることはない。しかも、糸状体１２は、強く引っ張られることなくきわめて緩やかに糸掛ボス１５、１６に巻き付けられる。【０１４１】
図９は、ベースプレート１４が折畳姿勢に変化したときの糸巻１１の側面図である。【０１４２】
前述のように糸巻１１に糸状体１２が巻き掛けられた状態でベースプレート１４が折畳姿勢に変化される。これにより、同図が示すように、糸状体１２は、糸掛ボス１５及び糸掛ボス１６に交互に巻き掛けられた環状に形成される。このとき、糸状体１２は、ほとんど無張力の状態で糸掛ボス１５、１６に巻き付けられ、ベースプレート１４に保持される。したがって、糸状体１２がベースプレート１４に長時間保持されたとしても糸状体１２に巻き癖がつくことがない。【０１４３】
この糸巻１１は、図２が示すようにケーシング１３に収容される。このとき、ケーシング１３の前面蓋３６が開かれ、糸巻１１がケーシング１３に挿入される。換言すれば、糸巻１１は、ケーシング１３によって囲繞され保持される。糸状体１２の他端５２は、ケーシング１３の前面蓋３６に設けられたガイドリング４１に挿通され、この状態で当該前縁蓋３６が閉じられる。これにより、糸状体１２は、ケーシング１３の外部に引き出され、糸状体ユニット１０の組み立てが完了する。【０１４４】
この糸状体１２の使用者（典型的には釣人）は、糸状体１２の他端５２を引っ張ることにより、所望の長さの糸状体１２をベースプレート１４から引き出すことができる。このとき、糸掛ボス１５及び糸掛ボス１６に巻き掛けられた糸状体１２は、これら各糸掛ボス１５、１６から交互に解けるように引き出される。したがって、糸状体１２は、使用者の意に反して多量にベースプレート１４から引き出されることはない。【０１４５】
糸状体１２が保持されている状態ではベースプレート１４が折畳姿勢となっている。すなわち、図９が示すように、一対の糸掛ボス１５、１６は互いに対向し、これら糸掛ボス１５、１６に設けられた補助プレート１７、１８も互いに対向している。図８及び図９が示すように、糸状体１２は、糸掛ボス１５に巻き掛けられた後に補助プレート１７の脚部２８の第２側縁６１及び補助プレート１８の脚部６５の第１側縁７０を経て糸掛ボス１６に巻き掛けられ、続いて当該脚部６５の第２側縁７１及び補助プレート１７の脚部２８の第１側縁６０を経て糸掛ボス１５に巻き掛けられている。【０１４６】
つまり、糸状体１２が保持されている状態では、当該糸状体１２は、糸掛ボス１５に巻き掛けられた後に、螺旋ループを描くように糸掛ボス１６に巻き掛けられ、その後も同様に各糸掛ボス１５、１６に交互に巻き掛けられている。このように、糸状体１２は幾重にも重なった螺旋ループ状に巻回される。糸状体１２の使用者が当該糸状体１２の他端５２を引っ張ると、当該他端５２に最も近いループが解け、続いて当該ループに隣り合うループが順に解ける。【０１４７】
糸状体１２によって形成される螺旋ループは、次の要領で解ける。まず、糸状体１２の他端５２が引っ張られると、ガイドリング４１（図１参照）から糸状体１２が引き出される。これにより、上記他端５２の直近の螺旋ループ、例えば糸掛ボス１５に巻き掛けられている螺旋ループが絞られる。つまり、当該ループの径が小さくなる。このとき、図８及び図９が示すように、糸状体１２は、補助プレート１７の脚部２８の第１側縁６０、糸掛ボス１５、当該脚部２８の第２側縁６１に巻き掛けられているから、上記螺旋ループの径が小さくなると、当該糸状体１２は、上記脚部２８の第１側縁６０に沿って当該脚部２８から円形部２７側へ移動する。しかも、当該第１側縁６０は上記仮想切断線５７（図４参照）に沿って切断されているから、当該糸状体１２は、補助プレート１７が変形しなくても上記第１側縁６０及び真直縁６３に沿って円滑に移動して糸掛ボス１５から外れる。このようにして、上記螺旋ループが解けることになる。そして、この螺旋ループに隣り合う螺旋ループも同様に解け、その結果、幾重にも巻回された糸状体１２は、ストレスなく順番に解ける。【０１４８】
このように本実施形態に係る糸巻１１は、巻き癖を付けることなく糸状体１２を巻き取ることができるので、この糸巻１１から引き出された糸状体１２は、真直で滑らかな状態が維持される。また、糸巻１１の補助プレート１７、１８が上記仮想切断線５７で切断されているから、糸状体１２が糸巻１１から引き出される際に補助プレート１７、１８等に強く摺動することがない。このため、糸状体１２は、損傷を受けることなく円滑に引き出される。言い換えれば、糸状体１２が補助プレート１７、１８等に強く摺動することがないので、補助プレート１７、１８が可撓性を備える必要がない。したがって、補助プレート１７、１８を構成する材料は特に限定される必要がなく、安価な材料が採用され得る。その結果、糸巻１１がコスト安価に製造され、糸状体ユニット１０の製造コストも低減され得る。【０１４９】
本実施形態では、糸掛ボス１５、１６は、外径がｄである円柱状に形成されている。つまり、糸掛ボス１５、１６の構造がきわめて簡単であり、糸巻１１の製造コストが一層低減されるという利点がある。特に本実施形態では、上記仮想切断線５７が上記仮想中心線５８から上記距離Ｓの位置に配置されているから、糸状体１２の材質にかかわらず糸状体１２が糸巻１１から円滑に引き出される。すなわち、糸状体１２がナイロン糸、フロロカーボン糸、いわゆるＰＥラインであっても円滑に糸巻１１から引き出される。【０１５０】
本実施形態に係る糸状体ユニット１０では、図１及び図２が示すようにガイドリング４１が設けられている。したがって、糸状体１２は、ガイドリング４１に案内されて糸巻１１の内部から円滑に引き出されるという利点がある。特に、図６が示すように、ガイドリング４１の挿通孔４６の一部が拡径されている。このため、糸状体１２はケーシング１３の内側からガイドリング４１へ滑らかに進入することができる。したがって、糸状体１２がガイドリング４１に進入する際に屈曲することがなく、糸状体１２の損傷がより一層防止される。【０１５１】
本実施形態に係る糸状体ユニット１０は、前述のように、糸巻１１が糸状体１２とは別個に製造され、糸巻１１に対して糸状体１２が巻き付けられる工程、ベースプレート１４が折畳姿勢に姿勢変化される工程及び糸巻１１がケーシング１３に収容される工程を経て完成される。すなわち、糸巻１１のみが予め大量に製造され得るので、部品としての糸巻１１がきわめて安価に製造され得るという利点がある。また、糸状体１２も大量生産され得るものであるから、糸状体ユニット１０の製造コストが一層低減される。しかも、糸巻１１は、前述のように姿勢変化するベースプレート１４を備えているから、糸状体１２が使用された後は、ベースプレート１４が展開姿勢に変化されることにより、再び糸状体１２のみが糸巻１１に巻き付けられる。すなわち、糸巻１１のリサイクルが可能であり、ゴミの発生が抑制されるという利点もある。【０１５２】
＜第２の実施形態＞【０１５３】
次に、本発明の第２の実施形態について説明される。【０１５４】
図１０は本発明の第２の実施形態に係る糸巻の平面図である。図１１は図１０におけるXI−XI断面図である。図１２は、本実施形態に係る糸巻の側面図である。【０１５５】
本実施形態に係る糸巻８０が上記第１の実施形態に係る糸巻１１と異なるところは、係止部材８１が設けられている点である。なお、糸巻８０のその他の構成については、上記第１の実施形態に係る糸巻１１と同様である。【０１５６】
この係止部材８１は、一対の糸掛ボス１５、１６に巻回された糸状体１２を当該巻回状態に安定させるためのものである。例えば糸状体１２が線径の大きいナイロン糸等であるときは、糸状体１２は、その剛性によって一対の糸掛ボス１５、１６に巻回された状態が維持されにくい。特に、糸状体１２のうちセンタープレート５３の近傍で折り畳まれた部分８２（図１２参照）が糸掛ボス１５、１６の方に移動する傾向にある。このように、糸状体１２の折り畳まれた部分８２が糸掛ボス１５、１６の方に移動すると、糸状体１２が自然に解けてしまい、いわゆるバックラッシュが発生するおそれがある。【０１５７】
上記係止部材８１は、挟持部８３及び支持部８４を備えている。この係止部材８１は、樹脂あるいは金属等により構成され得る。挟持部８３は、一対の挟持板８５、８６を有している。挟持部８３の断面形状は、略C字状である。挟持部８３は、図１０が示すように、上記真直縁６３、７３が形成されている側（同図において上側）からセンタープレート５３に嵌め込まれる。挟持板８５及び挟持板８６は、センタープレート５３を挟持する。これにより、挟持部８３がセンタープレート５３に固定される。支持部８４は、略L字状に形成された部材からなる。すなわち、支持部８４は、挟持板８６に連結された連結脚部８７と、これに直交するように設けられた押さえ部８８とを有する。この押さえ部８８は、図１０が示すように、センタープレート５３と平行に配置され、上記真直縁６３、７３が設けられた側から真っ直ぐに（同図において上方から下方へ真直に）延びている。【０１５８】
本実施形態においても、糸状体１２は、上記第１の実施形態に係る糸巻１１と同様の要領で糸巻８０に巻き取られる。すなわち、ベースプレート１４が展開姿勢に変化された状態で（図８参照）、糸状体１２の一端５１が前述の位置に固定される。糸状体１２は、一方の糸掛ボス１５に巻き掛けられる。糸状体１２は補助プレート１７の真直縁６３が設けられた側（上記仮想切断線５７に沿って切断された側）から糸掛ボス１５に巻き掛けられる。さらに、この糸状体１２は、センタープレート５３と係止部材８１の押さえ部８８との間を通って他方の糸掛ボス１６に巻き掛けられる。この場合も、糸状体１２は補助プレート１８の真直縁７３（上記仮想切断線５７に沿って切断された側）から糸掛ボス１６に巻き掛けられる。つまり、この糸状体１２は、互いにクロスするように糸掛ボス１５及び糸掛ボス１６に巻き掛けられる。この糸状体１２は、再びセンタープレート５３と上記押さえ部８８との間を通って糸掛ボス１５に巻き掛けられる。同様にして、この糸状体１２は、一対の糸掛ボス１５、１６間に交互に連続して８の字を呈するように巻き掛けられる。【０１５９】
図１２が示すように、糸巻８０に糸状体１２が巻き掛けられた状態でベースプレート１４が折畳姿勢に変化されると、同図が示すように、糸状体１２は環状に形成される。このとき、糸状体１２は、ほとんど無張力の状態で糸掛ボス１５、１６に巻き付けられ、ベースプレート１４に保持される。したがって、糸状体１２がベースプレート１４に長時間保持されたとしても糸状体１２に巻き癖がつくことがない。巻回された糸状体１２のうちセンタープレート５３の近傍で折り畳まれた部分８２は、係止部材８１によって押さえられる。糸状体１２が高い剛性を有するナイロン糸等であった場合は、前述のように上記折り畳まれた部分８２が糸掛ボス１５、１６の方に移動する傾向にある。しかし、仮にそうなった場合であっても、係止部材８１の押さえ部８８が上記折り畳まれた部分８２を押圧するので、糸状体１２がバックラッシュを起こすことが防止される。その結果、糸状体１２の巻き量が多くなるという利点もある。【０１６０】
上記押さえ部８８は、連結脚部８７に片持ち状に設けられており、図１０が示すように、上記真直縁６３、７３が設けられた側から真っ直ぐに延びている。糸状体１２は、前述の要領で糸掛ボス１５、１６間に８の字を呈するように巻き掛けられる。したがって、この糸状体１２が糸巻８０から引き出されるときは、当該糸状体１２は、センタープレート５３上では必ず上記真直縁６３、７３が設けられた側から真っ直ぐ下方に移動しつつ解けることになる。したがって、上記押さえ部８８が前述のように片持ち状に配置されていたとしても、糸状体１２は円滑に糸巻８０から引き出される。【０１６１】
＜第３の実施形態＞【０１６２】
次に、本発明の第３の実施形態について説明される。【０１６３】
図１３は、本発明の第３の実施形態に係る糸状体ユニットのケーシングの展開図である。図１４及び図１５は、本発明の第３の実施形態に係る糸状体ユニットのベースプレートの平面図及び一部断面側面図である。図１６及び図１７は、図１４におけるXVI−XVI断面図及びXVII−XVII断面図である。図１８は、本発明の第３の実施形態に係る糸状体ユニットの補助プレートの平面図であり、図１９は、当該補助プレートの一部断面側面図である。図２０は、ベースプレート及び補助プレートがケーシングに組み込まれた状態を示す平面図であり、図２１は、一部断面側面図である。【０１６４】
本実施形態に係る糸状体ユニットが上記第１の実施形態に係る糸状体ユニットと異なるところは、(1) 図１３及び図２０が示すように、釣糸が引き出される挿通孔９１（糸引出孔）がケーシング９２の中心９３から距離ｆだけオフセットされている点、(2) 図１４及び図１５が示すように、サイドプレート９４、９５に堤部９６、９７が立設されている点、(3) 図１８が示すように、一対の補助プレート９８、９９が連結帯１００により連結されることによって一体的に形成されている点、(4) 補助プレート９８の第１側縁１０１の傾斜角θ１が第２側縁１０３の傾斜角θ２よりも小さく設定され、同様に、補助プレート９９の第１側縁１０２の傾斜角θ１が第２側縁１０４の傾斜角θ２よりも小さく設定されている点、(5) 図１４ないし図１６が示すように、サイドプレート９４、９５にスタッド部１０５、１０６が設けられ、他方、図１８及び図１９が示すように、補助プレート９８、９９にソケット部１０７、１０８が設けられており、スタッド部１０５及びソケット部１０７が嵌合し且つスタッド部１０６及びソケット部１０８が嵌合することによって（図２１参照）、補助プレート９８、９９がサイドプレート９４、９５に固定されると共にスタッド部１０５、１０６及びソケット部１０７、１０８によって糸掛ボス１５、１６が形成されるようになっている点である。【０１６５】
ケーシング９２（図１３参照）は、上記第１の実施形態と同様に樹脂や紙等から構成されている。本実施形態では、シート状の樹脂が、図１３が示すような形状に裁断される。ケーシング９２の側片部１１０〜１１３がそれぞれ折曲線１１４〜１１７で折り曲げられる。側片部１１０〜１１３は、中央部１０９に対して起立する。側片部１１０が折曲線１１８で折り曲げられると共に側片部１１３が折曲線１１９、１２０で折り曲げられる。これにより、直方体の箱状に形成されたケーシング９２が組み立てられる。このとき、側片部１１３の端縁部１２１は、側片部１１１に重ね合わされて固定される。側片部１１２は、ケーシング９２の底部を構成し、側片部１１０は、前面蓋３６（図１参照）を構成する。第１の実施形態と同様に、この前面蓋３６の端縁部１２２に面ファスナーが設けられ、これにより、前面蓋３６は開閉可能となっている。なお、本実施形態に係るケーシング９２の外形形状は、上記第１の実施形態に係るケーシング１３（図１参照）と同様である。【０１６６】
上記中央部１０９の幅寸法Ｅは、ベースプレート１４（図１４参照）の幅寸法Ｅに対応している。ケーシング９２は、折畳姿勢となったベースプレート１４を収容保持する。このベースプレート１４の周囲は、ケーシング９２によって被覆される（図２０及び図２１参照）。ケーシング９２にベースプレート１４が収容された状態で、ケーシング９２の中心９３とベースプレート１４の中心線（すなわち仮想中心線５８）とが一致する。また、前面蓋３６に上記挿通孔９１が設けられており、この挿通孔９１にガイドリング４１（図１参照）が取り付けられている。図１３及び図２０が示すように、この挿通孔９１は、ケーシング９２の中心９３から距離ｆの位置に設けられている。本実施形態では、この距離ｆは、補助プレート９８、９９における仮想中心線５８から真直縁６３（７３）までの距離ｓに対応されている（図１８参照）。もっとも、この距離ｆは、他の種々の値に設定され得るものである。要するに、挿通孔９１が上記仮想中心線５８から変位した位置に設けられていればよい。【０１６７】
図１４が示すように、ベースプレート１４は、上記第１の実施形態と同様にセンタープレート５３及びサイドプレート９４、９５を備えている。サイドプレート９４の縁部１２３に堤部９６が設けられている。サイドプレート９４に上記スタッド部１０５が設けられている。サイドプレート９５の縁部１２４にも堤部９７が設けられており、当該サイドプレート９５に上記スタッド部１０６が設けられている。この堤部９７は、堤部９６と同様の形状であり、堤部９６と左右対称の位置に配置されている。スタッド部１０６は、スタッド部１０５と同様の形状であり、スタッド部１０５と左右対称の位置に配置されている。これらスタッド部１０５、１０６は、糸掛ボス１５、１６の一部を構成するものであり、図３が示す糸掛ボス１５、１６の位置と同じ位置に設けられている。これら堤部９７及びスタッド部１０６は、熱成形によりサイドプレート９４と一体的に形成されている。【０１６８】
図１４及び図１５が示すように、堤部９６、９７は、サイドプレート９４、９５の内面２３、２１に隆起するように設けられている。補助プレート９８、９９がサイドプレート９４、９５の上に配置される（図２１参照）。このため、堤部９６は、サイドプレート９４から補助プレート９８側に向かって延びるように当該サイドプレート９４に立設されている。堤部９７は、サイドプレート９５から補助プレート９９側に向かって延びるように当該サイドプレート９５に立設されている。具体的には、堤部９６、９７は細長の突条からなる。堤部９６、９７は、スタッド部１０５、１０６の中心（すなわち糸掛ボス１５、１６の中心）を中心として円弧状に形成されている。図１５が示すように、堤部９６、９７の断面形状は三角形を呈している。つまり、堤部９６、９７は、サイドプレート９４、９５から補助プレート９８、９９側に向かって尖った形状となっている。【０１６９】
図１５が示すように、スタッド部１０５、１０６は、それぞれ、基部１２５と嵌合部１２６とを備えている。なお、同図（ｂ）は、同図（ａ）の部分拡大図であって、スタッド部１０６及びその周辺部分の構造を詳細に示している。基部１２５及び嵌合部１２６は円柱状に形成されている。両者の中心は一致されている。両者の中心を結ぶ線は、糸掛ボス１５、１６の軸方向２９及び軸方向３０を示している。基部１２５の外径よりも嵌合部１２６の外径が小さく設定されている。嵌合部１２６は、基部１２５の上に載せられた状態で形成されている。基部１２５及び嵌合部１２６は、サイドプレート９４、９５の内面２３、２１に隆起するように設けられている。嵌合部１２６は、上記堤部９６、９７が立設された向きと同じ向きに突出している。【０１７０】
図１４及び図１７が示すように、センタープレート５３に一対の位置決め片１２７が設けられている。この位置決め片１２７は、ベースプレート１４に対する補助プレート９８、９９の位置決めを行うものである。位置決め片１２７は、熱成形によりベースプレート１４と一体的に形成されている。各位置決め片１２７は、所定の間隔で並設されている。この間隔は、補助プレート９８、９９を連結する連結帯１００（図１８参照）の幅寸法に対応されている。したがって、この連結帯１００が一対の位置決め片１２７の間に嵌め込まれて固定されることにより、ベースプレート１４に対して補助プレート９８、９９の位置が決められる。【０１７１】
図１８が示すように、補助プレート９８、９９は、連結帯１００を基準に左右対称に形成されている。補助プレート９８、９９は、中央部にソケット部１０７、１０８を備えている。このソケット部１０７、１０８は、それぞれ、図３が示す糸掛ボス１５、１６の位置と同じ位置に設けられている。ソケット部１０７は、上記スタッド部１０５と協働して糸掛ボス１５を構成する。ソケット部１０８は、上記スタッド部１０６と協働して糸掛ボス１６を構成する。これらソケット部１０７、１０８は、熱成形により補助プレート９８、９９と一体的に形成されている。【０１７２】
補助プレート９８は、第１の実施形態に係る補助プレート１７と同様に円形部２７と、脚部２８とを備えている。円形部２７は、脚部２８と一体的に形成されている。円形部２７は、二点鎖線５６で示される円形に形成されている。すなわち、二点鎖線５６が円形部２７の外形を規定している。円形部２７は、仮想切断線５７に沿って切断されており、真直縁６３が形成されている。脚部２８は、円形部２７に連続して補助プレート９９側へ延びている。換言すれば、補助プレート９８がベースプレート１４に取り付けられた状態では、脚部２８は、センタープレート５３側へ延びる（図２０参照）。この脚部２８の幅方向寸法Wは、円形部２７からセンタープレート５３側へ向かう向きに沿って漸次小さくなっている。この幅方向寸法Wとは、上記円形部２７の径方向であって仮想中心線５８に直交する方向の寸法である。【０１７３】
円形部２７の中心はソケット部１０７の中心（すなわち糸掛ボス１５の中心）と一致されている。前述のように、上記ソケット部１０７は上記スタッド部１０５と協働して糸掛ボス１５を構成するから、ソケット部１０７の底面すなわち円形部２７の上面は糸掛ボス１５の先端面２５を構成する。このため、円形部２７は、糸掛ボス１５の先端面２５に設けられたフランジを構成している。【０１７４】
脚部２８は略台形状に形成されている。脚部２８は、底縁部１２８、第１側縁１０１、第２側縁１０３及び円弧縁６２を備えている。本実施形態では、底縁部１２８は上記連結帯１００により構成されている。底縁部１２８は、ベースプレート１４の第１境界部位１９に固定されている。図１８が示すように、第１側縁１０１及び第２側縁１０３は、仮想中心線５８の両側（同図において上側及び下側）に配置されている。第１側縁１０１は、底縁部１２８（すなわち連結帯１００）から円形部２７の一端側（同図において上側）へ延びている。第１側縁１０１は、連結帯１００の一端（同図において上端）と真直縁６３の下端１２９とを接続している。第２側縁１０３は、連結帯１００の他端（同図において下端）に連続して円形部２７の他端側（同図において下側）に接続されている。具体的には、第２側縁１０３は、円形部２７を規定する上記二点鎖線５６に外接している。円弧縁６２は、上記第１の実施形態と同様に、円形部２７に連続しており、上記二点鎖線５６と一致している。前述のように、円形部２７と脚部２８とが一体的に形成されているから、円弧縁６２は、円形部２７と脚部２８との仮想の境界を示している。【０１７５】
上記仮想切断線５７は、上記仮想中心線５８と平行に配置されている。仮想切断線５７は、仮想中心線５８から距離Ｓの位置に配置されている。この距離Ｓは、上記第１の実施形態と同様に、
ｄ／２＜Ｓ≦Ｄ／２−（Ｄ−ｄ）／６    −−−−−−−−−−（１）
で示される範囲に設定される。但し、ｄは糸掛ボス１５の外径であり、Ｄは円形部２７の外径である。【０１７６】
補助プレート９９は、補助プレート９８と同様の構成である。補助プレート９９は、円形部６４と脚部６５とを備えている。円形部６４は、二点鎖線６６で示される円形に形成されている。すなわち、二点鎖線６６が円形部６４の外形を規定している。円形部６４も上記仮想切断線５７に沿って切断されている。これにより、円形部６４に真直縁７３が形成されている。脚部６５は、円形部６４に連続して補助プレート９８側へ（センタープレート５３側）へ延びている。この脚部６５の幅方向寸法Wは、円形部６４センタープレート５３側へ向かう向きに沿って漸次小さくなっている。この幅方向寸法Wとは、上記円形部６４の径方向であって仮想中心線５８に直交する方向の寸法である。【０１７７】
円形部６４の中心はソケット部１０８の中心（すなわち糸掛ボス１６の中心）と一致されている。前述のように、上記ソケット部１０８は上記スタッド部１０６と協働して糸掛ボス１６を構成するから、ソケット部１０８の底面すなわち円形部２７の上面は、糸掛ボス１６の先端面２６を構成する。このため、円形部６４は、糸掛ボス１６の先端面２６に設けられたフランジを構成している。【０１７８】
補助プレート９９の脚部６５は、略台形状に形成されている。脚部６５は、底縁部１３０、第１側縁１０２、第２側縁１０４及び円弧縁７２を備えている。底縁部１３０は、上記連結帯１００により構成されている。底縁部１３０は、ベースプレート１４の第２境界部位２０に固定されている。図１８が示すように、第１側縁１０２及び第２側縁１０４は、仮想中心線５８の両側（同図において上側及び下側）に配置されている。第１側縁１０２は、円形部６４の一端側（同図において上側）へ延びている。第１側縁１０２は、連結帯１００（すなわち底縁部１３０）の一端（同図において上端）と切断縁７３の下端１３１とを接続している。第２側縁１０４は、底縁部１３０の他端（同図において下端）に連続して円形部６４の他端側（同図において下側）に接続されている。具体的には、第２側縁１０３は、円形部６４を規定する上記二点鎖線６６に外接している。さらに、円弧縁７２は、上記第１の実施形態と同様に、円形部６４に連続しており、上記二点鎖線６６と一致している。前述のように、円形部６４と脚部６５とが一体的に形成されているから、円弧縁７２は、円形部２７と脚部２８との仮想の境界を示すものである。【０１７９】
上記仮想切断線５７は、上記仮想中心線５８と平行に配置されている。仮想切断線５７は、仮想中心線５８から距離Ｓの位置に配置されている。この距離Ｓは、前述のように、          ｄ／２＜Ｓ≦Ｄ／２−（Ｄ−ｄ）／６    −−−−−−−−−−（１）
で示される範囲に設定される。但し、ｄは糸掛ボス１６の外径であり、Ｄは円形部６４の外径である。【０１８０】
図１８及び図１９が示すように、ソケット部１０７は、円筒状に形成されている。なお、図１９（ｂ）は、同図（ａ）の部分拡大図であって、ソケット部１０７及びその周辺部分の構造を詳細に示している。ソケット部１０７の中心線は、糸掛ボス１５の軸方向２９を示している。ソケット部１０７は、補助プレート９８の下面１３２に突設されている。ソケット部１０７は、熱成形により補助プレート９８と一体的に形成されている。ソケット部１０７の内径寸法は、上記スタッド部１０５の嵌合部１２６の外径寸法に対応されている。このため、上記スタッド部１０５の嵌合部１２６は、ソケット部１０７に圧入され、一定の保持力で固定される。嵌合部１２６の保持力が確保されるために、ソケット部１０７の内壁面に凹部１３３が設けられている。本実施形態では、ソケット部１０７の４箇所に凹部１３３が設けられているが（図１８参照）、凹部１３３の数は適宜変更され得る。この凹部１３３が設けられることにより、ソケット部１０７に嵌合部１２６が嵌め込まれると、ソケット部１０７が弾性的に拡径され、その緊迫力によってスタッド部１０５が確実にソケット部１０７と嵌合固定される。【０１８１】
また、ソケット部１０８は、ソケット部１０７と同様に円筒状に形成されている。ソケット部１０８の中心線は、糸掛ボス１６の軸方向３０を示している。ソケット部１０８は、熱成形により補助プレート９９と一体的に形成され、補助プレート９９の下面に突設されている。ソケット部１０８の内径寸法は、ソケット部１０７の内径寸法と同一であり、上記スタッド部１０６の嵌合部１２６の外径寸法に対応されている。このため、スタッド部１０６は、ソケット部１０８に圧入され、一定の保持力で固定される。この保持力が確保されるために、ソケット部１０８の内壁面にも凹部１３４が設けられている。本実施形態では、ソケット部１０８の４箇所に凹部１３４が設けられているが、凹部１３４の数は適宜変更され得る。この凹部１３４が設けられることによる作用効果は前述のとおりであり、スタッド部１０６が確実にソケット部１０８と嵌合固定される。【０１８２】
補助プレート９８、９９（図１８参照）は、ベースプレート１４（図１４参照）に組み付けられる。具体的には、補助プレート９８、９９のソケット部１０７、１０８に、ベースプレート１４のスタッド部１０５、１０６が嵌め合わされる。これにより、糸巻１１が組み立てられ、上記第１の実施形態と同様の要領で糸状体（典型的には釣糸）が巻き付けられる。なお、図２１が示すように、本実施形態では、ソケット部１０７とスタッド部１０５との間、及びソケット部１０８とスタッド部１０６との間に目張りシート１３５が設けられている。目張りシート１３５は、樹脂製の薄肉シートであり、環状に形成されている。この目張りシート１３５が設けられることにより、ソケット部１０７とスタッド部１０５との間、及びソケット部１０８とスタッド部１０６との間に隙間が生じることがない。したがって、糸掛ボス１５、１６に糸状体が巻き掛けられた場合に糸状体が糸掛ボス１５、１６に食い込むことが防止される。【０１８３】
図２２は、糸状体１２の巻取要領を模式的に示す図である。【０１８４】
前述のように、本実施形態では糸状体１２は釣糸である。ベースプレート１４が展開姿勢に変化された状態で、糸状体１２の一端５１がベースプレート１４の内面２３に固定される。第１の実施形態と同様に、糸状体１２の固定位置は特に限定されるものではない。本実施形態では、糸状体１２は、両糸掛ボス１５、１６の中間であって、補助プレート９８、９９の第２側縁１０３、１０４側（同図において下側）に固定されている。この糸状体１２は、ベースプレート１４と補助プレート９８との間を糸掛ボス１５側に引き回されて、当該糸掛ボス１５の外周面２２に反時計回りに（第２側縁１０３側から第１側縁１０１側に）巻き掛けられる。続いて、糸状体１２は、ベースプレート１４と補助プレート９８との間からベースプレート１４と補助プレート９９との間に引き回されて、当該糸掛ボス１６の外周面２４に時計回りに（第２側縁１０４側から第１側縁１０２側に）巻き掛けられる。このとき、糸状体１２は、図２２が示すように、当該糸状体１２とクロスするように引き回される。【０１８５】
さらに、糸状体１２は、ベースプレート１４と補助プレート９９との間からベースプレート１４と補助プレート９８との間に引き回される。糸状体１２は、糸掛ボス１５の外周面２２に反時計回りに巻き掛けられた後、前述と同様に糸掛ボス１６に巻き掛けられる。なお、本実施形態では、糸状体１２は、糸掛ボス１５の外周面２２に反時計回りに巻き掛けられた後、糸掛ボス１６の外周面２４に時計回りに巻き掛けられるが、糸状体１２は、糸掛ボス１５の外周面２２に時計回りに巻き掛けられた後、糸掛ボス１６の外周面２４に反時計回りに巻き掛けられてもよいことは勿論である。【０１８６】
換言すれば、ベースプレート１４が展開姿勢に変化された状態で、糸状体１２の一端５１が前述の位置に固定される。糸状体１２は、一方の糸掛ボス１５に巻き掛けられる。このとき、糸状体１２は補助プレート１７の真直縁６３が設けられた側と反対側（上記仮想切断線５７に沿って切断された側と反対側）から糸掛ボス１５に巻き掛けられる。さらに、この糸状体１２は、他方の糸掛ボス１６に巻き掛けられる。この場合も、糸状体１２は補助プレート１８の真直縁７３が設けられた側と反対側（上記仮想切断線５７に沿って切断された側と反対側）から糸掛ボス１６に巻き掛けられる。この糸状体１２は、互いにクロスするように糸掛ボス１５及び糸掛ボス１６に交互に幾重にも巻き掛けられる。【０１８７】
すなわち、この糸状体１２は、８の字を呈するように一対の糸掛ボス１５、１６間に巻き取られ、ベースプレート１４に保持される。所定長さの糸状体１２がベースプレート１４に巻き付けられると、当該糸状体１２が切断され、その他端５２が糸巻１１から外部へ導かれる（図１参照）。糸状体１２が一対の糸掛ボス１５、１６の間に８の字を呈するように巻き付けられるから、糸状体１２が糸掛ボス１５に巻かれる際に発生する撚りと、糸掛ボス１６に巻かれる際に発生する撚りとが相殺され、結果的に糸状体１２が撚れることはない。しかも、糸状体１２は、強く引っ張られることなくきわめて緩やかに糸掛ボス１５、１６に巻き付けられる。【０１８８】
図２０及び図２１が示すように、糸巻１１に糸状体１２が巻き掛けられると、ベースプレート１４が折畳姿勢に変化される。上記第１の実施形態と同様に、糸状体１２は環状に形成される（図９参照）。このとき、糸状体１２は、ほとんど無張力の状態で糸掛ボス１５、１６に巻き付けられ、ベースプレート１４に保持される。したがって、糸状体１２がベースプレート１４に長時間保持されたとしても糸状体１２に巻き癖がつくことがない。【０１８９】
この糸巻１１は、ケーシング９２（図１３及び図１参照）に収容される。このとき、ケーシング９２の前面蓋３６が開かれ、糸巻１１がケーシング９２に挿入される。ベースプレート１４は、ケーシング９２に隙間なく収容され保持される。糸状体１２の他端５２は、ケーシング９２の前面蓋３６に設けられたガイドリング４１に挿通される。この状態で前縁蓋３６が閉じられる。糸状体１２の他端５２は、ケーシング９２の外部に引き出され、糸状体ユニット１０の組み立てが完成する。【０１９０】
この糸状体１２の使用者（釣人）は、糸状体１２の他端５２を引っ張ることにより、所望の長さの糸状体１２をベースプレート１４から引き出すことができる。このとき、糸掛ボス１５及び糸掛ボス１６に巻き掛けられた糸状体１２は、これら各糸掛ボス１５、１６から交互に解けるように引き出される。したがって、糸状体１２は、使用者の意に反して多量にベースプレート１４から引き出されることはない。【０１９１】
ベースプレート１４が折畳姿勢となったときは、第１の実施形態と同様に、一対の糸掛ボス１５、１６は互いに対向し、補助プレート９８、９９も互いに対向する。第１の実施形態と同様に、糸状体１２は、糸掛ボス１５に巻き掛けられた後、補助プレート９８の脚部２８の第１側縁１０１及び補助プレート９９の脚部６５の第２側縁１０４を経て糸掛ボス１６に巻き掛けられる。続いて、糸状体１２は、当該脚部６５の第１側縁１０２及び補助プレート９８の脚部２８の第２側縁１０３を経て糸掛ボス１５に巻き掛けられている。つまり、糸状体１２は、糸掛ボス１５に巻き掛けられた後に、螺旋ループを描くように糸掛ボス１６に巻き掛けられ、その後同様に各糸掛ボス１５、１６に交互に巻き掛けられている。【０１９２】
このように、糸状体１２は幾重にも重なった螺旋ループ状に巻回される。糸状体１２の使用者が当該糸状体１２の他端５２を引っ張ると、当該他端５２に最も近いループが解け、続いて当該ループに隣り合うループが順に解ける。糸状体１２によって形成される螺旋ループは、第１の実施形態に係る糸巻１１と同様の要領で解ける。まず、糸状体１２の他端５２が引っ張られると、ガイドリング４１（図１参照）から糸状体１２が引き出される。これにより、上記他端５２の直近の螺旋ループ、例えば糸掛ボス１５に巻き掛けられている螺旋ループが絞られる。つまり、当該ループの径が小さくなる。このとき、図２２が示すように、糸状体１２は、補助プレート９８の脚部２８の第２側縁１０３、糸掛ボス１５、当該脚部２８の第１側縁１０１に巻き掛けられているから、上記螺旋ループの径が小さくなると、当該糸状体１２は、上記脚部２８の第１側縁１０１に沿って当該脚部２８から円形部２７側へ移動する。しかも、円形部２７は、上記仮想切断線５７（図１８参照）に沿って切断されているから、糸状体１２は、補助プレート９８が変形しなくても上記第１側縁１０１（１０２）及び真直縁６３（７３）に沿って移動して円滑に糸掛ボス１５から外れる。【０１９３】
本実施形態では、図１８及び図２０が示すように、上記第１側縁１０１（１０２）の傾斜角度θ１は上記第２側縁１０３（１０４）の傾斜角度θ２よりも小さい。換言すれば、上記第２側縁１０３（１０４）は、上記仮想中心線５８に対して横方向に大きく張り出している。したがって、ループ状の糸状体１２が第１側縁１０１（１０２）に沿って円滑に移動すると共に、当該糸状体１２は、第２側縁１０３（１０４）に引っ掛かった状態になる傾向にある。このため、ループ状の糸状体１２が勢いよく糸掛ボス１５、１６から外れ、これに引かれて一気に糸状体１２が解けてしまうことが防止される。本実施形態では、傾斜角度θ１は１７°（ｄｅｇｒｅｅ）に設定され、傾斜角度θ２は４５°に設定されている。なお、各傾斜角度θ１、θ２の大きさは特に限定されるものではなく、要するに、傾斜角度θ１が傾斜角度θ２よりも小さく設定されていればよい。【０１９４】
第２側縁１０３は、図１８において仮想中心線５８に沿って左側に（糸掛ボス１５から遠ざかる方向に）移動した位置（例えば、図２０において二点鎖線１４４で示される位置）に配置されていてもよい。その場合、第２側縁１０４も、同図において仮想中心線５８に沿って右側に（糸掛ボス１６から遠ざかる方向に）移動した位置（例えば、図２０において二点鎖線１４４で示される位置）に配置されていてもよい。このように、第２側縁１０３、１０４が糸掛ボス１５、１６から遠ざかることによって、糸状体１２が解ける際に一定の制動力が作用し、当該ループ状が解けていくに連れて隣り合うループ状の糸状体１２が引きずられて解けてしまうことが確実に防止される。その結果、幾重にも巻回された糸状体１２は、縺れることなく順番に解ける。【０１９５】
第１側縁１０１（１０２）及び第２側縁１０３（１０４）は、真直な辺部により構成されている必要はない。図１８が示すように、本実施形態では、第２側縁１０３（１０４）は折り曲げられた２つの辺部を備えている。第２側縁１０３（１０４）のうち一方の辺部１３６は、上記仮想中心線５８と平行（すなわち傾斜角度θ２＝９０°）である。このように、第１側縁１０１及び第２側縁１０３は、上記傾斜角度がθ１、θ２（但し、０°＜θ１＜９０°、０°＜θ２＜９０°）となる部分を備えていれば十分である。【０１９６】
本実施形態に係る糸巻１１は、上記第１の実施形態と同様に、巻き癖を付けることなく糸状体１２を巻き取ることができるし、糸状体１２が糸巻１１から引き出される際に補助プレート９８、９９等に強く摺動することがない。そのため、補助プレート９８、９９は可撓性を備える必要がない。したがって、補助プレート９８、９９を構成する材料は特に限定される必要がなく、安価な材料が採用され得る。その結果、糸巻１１がコスト安価に製造され、糸状体ユニット１０の製造コストも低減される得る。【０１９７】
この糸巻１１では、上記仮想切断線５７が上記仮想中心線５８から上記距離Ｓの位置に配置されているから、糸状体１２の材質にかかわらず糸状体１２が糸巻１１から円滑に引き出される。すなわち、糸状体１２がナイロン糸、フロロカーボン糸、いわゆるＰＥラインであっても円滑に糸巻１１から引き出される。【０１９８】
本実施形態に係る糸状体ユニット１０は、第１の実施形態と同様にガイドリング４１を備えている。そのため、糸状体１２は、より一層円滑に引き出されるという利点がある。【０１９９】
本実施形態に係る糸状体ユニット１０は、糸巻１１が糸状体１２とは別個に製造され、糸巻１１に対して糸状体１２が巻き付けられる工程、ベースプレート１４が折畳姿勢に姿勢変化される工程及び糸巻１１がケーシング１３に収容される工程を経て完成される。すなわち、糸巻１１のみが予め大量に製造され得るので、部品としての糸巻１１がきわめて安価に製造され得る。また、糸状体１２も大量生産され得るものであるから、糸状体ユニット１０の製造コストが一層低減される。しかも、糸巻１１は、前述のように姿勢変化するベースプレート１４を備えているから、糸状体１２が使用された後は、ベースプレート１４が展開姿勢に変化されることにより、再び糸状体１２のみが糸巻１１に巻き付けられる。すなわち、糸巻１１のリサイクルが可能であり、ゴミの発生が抑制される。【０２００】
この糸巻１１は、図２０ないし図２２が示すように、堤部９６、９７を備えている。糸状体１２は、糸掛ボス１５、１６の周りにループ状に幾重にも巻回されている。糸状体１２は、その剛性により糸掛ボス１５、１６を中心にして外側へ拡がる傾向にある。そのため、糸状体１２が糸巻１１から引き出されると、ループ状の糸状体１２が一気に解けてしまうおそれがある。前述のように、糸状体１２に撚りが生じないのは、一方の糸掛ボス１５（又は糸掛ボス１６）に巻かれる際に発生する撚りと、他方の糸掛ボス１６（又は糸掛ボス１５）に巻かれる際に発生する撚りとが相殺されるからである。すなわち、糸状体１２が引き出されて一のループが解けていく際に、糸状体１２が一方の糸掛ボス１５（又は糸掛ボス１６）側から外れた瞬間に撚りが発生する。この撚りは、当該糸状体１２が他方の糸掛ボス１６（又は糸掛ボス１５）から外れることによって相殺される。但し、この撚りが相殺されるまでに糸状体１２が大きく拡がり、この拡がる糸状体１２に引きずられるようにして他のループが補助プレート９８、９９の外側に外れてしまうことがある。このため、糸状体１２が引き出される際に絡みついてしまう可能性がある。【０２０１】
この糸巻１１では、上記堤部９６、９７が設けられているから、糸状体１２が糸掛ボス１５、１６を中心にして外側へ拡がることが規制される。糸状体１２によって形成される各ループは、補助プレート９８、９９から外側へ外れてしまうことがない。したがって、糸状体１２の絡みが防止され、糸状体１２が糸巻１１から円滑に引き出される。なお、堤部９６、９７の高さ寸法は、特に限定されるものではない。本実施形態では、図２１が示すように、堤部９６（９７）の先端が補助プレート９８（９９）に接するように堤部９６、９７の高さ寸法が設定されている。したがって、糸状体１２は、堤部９６、９７の先端と補助プレート９８、９９との間をすり抜けて引き出される。図２０及び図２２が示すように、この堤部９６、９７は突条からなり、糸掛ボス１５、１６を中心とする円弧状に形成されている。仮に糸状体１２が糸掛ボス１５、１６を中心に外側に拡がろうとしても、堤部９６、９７がループ状の糸状体１２の周囲に均等に当接する。このため、糸状体１２の拡がりが確実に防止される。【０２０２】
本実施形態では、ガイドリング４１は、糸掛ボス１５、１６の中心すなわち仮想中心線５８に対してオフセットされている。このオフセット量は、距離ｆであり、本実施形態では、仮想切断線５７の位置（距離ｓ）に一致されている。もっとも、距離ｆが距離ｓと異なっていてもよいことは勿論である。糸状体１２は、ガイドリング４１から引き出されるから、糸状体１２は、ガイドリング４１の方へ引っ張られる。このガイドリング４１は、前述のようにオフセットされているから、糸状体１２は、上記第１縁部１０１をより一層滑らかに移動することができる。したがって、糸状体１２は、なお一層ストレス無く円滑に引き出される。【０２０３】
＜第３の実施形態の変形例＞【０２０４】
図２３は、本実施形態の第１の変形例に係るベースプレートの平面図である。【０２０５】
この変形例に係るベースプレート１３７が本実施形態に係るベースプレート１４と異なるところは、上記ベースプレート１４は、仮想中心線５８を基準に上下方向に対称に配置された堤部９６、９７を有していたのに対し（図２２参照）、本変形例では、堤部１３８、１３９が仮想中心線５８から下側に延びている点である。このように堤部１３８、１３９が仮想中心線に対して非対称に形成されていても、糸状体１２が糸掛ボス１５、１６を中心にして外側へ拡がることはない。したがって、ループ状の糸状体１２が補助プレート９８、９９から外側へ外れてしまうことが防止される。【０２０６】
図２４は、本実施形態の第２の変形例に係るベースプレートの平面図であり、図２５は、一部断面側面図である。また、図２６は、図２４におけるXXVI−XXVI断面図である。【０２０７】
この変形例に係るベースプレート１４２が本実施形態に係るベースプレート１４と異なるところは、サイドプレート９４の側部１４７にも堤部１４０（第２堤部）が設けられており、サイドプレート９５の側部１４８にも堤部１４１（第２堤部）が設けられている点である。この堤部１４０、１４１は、サイドプレート９４、９５と一体的に形成されている。堤部１４０、１４１の断面形状は、上記堤部９６、９７と同様であるが、堤部１４０、１４１は、サイドプレート９４、９５に沿って真直に延びている。図２６が示すように、堤部１４０、１４１は三角形状に形成されている。各堤部１４０、１４１は、糸状体１２が巻き取られた後に矢印７５が示す方向に折り曲げられる。これにより、糸掛ボス１５、１６を中心にして糸状体１２が外側へ拡がることがより一層防止される。特に、サイドプレート９４、９５の側部１４７、１４８に向かって糸状体１２が拡がることが確実に防止される。【０２０８】
＜第４の実施形態＞【０２０９】
次に、本発明の第４の実施形態について説明される。【０２１０】
図２７は、本発明の第４の実施形態に係る糸状体ユニットのケーシングの展開図である。図２８及び図２９は、本発明の第４の実施形態に係る糸状体ユニットのベースプレートの平面図及び一部断面側面図である。図３０及び図３１は、図２８におけるXXX−XXX断面図及びXXXI−XXXI断面図である。図３２は、本発明の第４の実施形態に係る糸状体ユニットの補助プレートの平面図である。図３３は、本発明の第４の実施形態に係る糸状体ユニットの補助プレートの一部断面側面図であり、図３４は、図３３における要部拡大図である。図３５は、ベースプレート及び補助プレートがケーシングに組み込まれた状態を示す平面図であり、図３６は、一部断面側面図である。【０２１１】
本実施形態に係る糸状体ユニットが上記第１の実施形態に係る糸状体ユニットと異なるところは、(1) 図２７及び図３５が示すように、糸状体が引き出される挿通孔１５１（糸引出孔）がケーシング１５２の中心１５３から距離ｆだけオフセットされている点、(2) 図３２ないし図３６が示すように、補助プレート１５８に堤部１５６が立設され、補助プレート１５９に堤部１５７が立設されている点、(3) 図３２が示すように、一対の補助プレート１５８、１５９が連結帯１６０により連結されることによって一体的に形成されている点、(4) 補助プレート１５８の第１側縁１６１の傾斜角θ１が第２側縁１６３の傾斜角θ２よりも小さく設定され、同様に、補助プレート１５９の第１側縁１６２の傾斜角θ１が第２側縁１６４の傾斜角θ２よりも小さく設定されている点、(5) 図２８ないし図３０が示すように、サイドプレート１５４にソケット部１６７が設けられ且つサイドプレート１５５にソケット部１６８が設けられており、図３２及び図３３が示すように、補助プレート１５８にスタッド部１６５が設けられ且つ補助プレート１５９にスタッド部１６６が設けられており、スタッド部１６５及びソケット部１６７が嵌合し且つスタッド部１６６及びソケット部１６８が嵌合することによって（図３６参照）、補助プレート１５８、１５９がサイドプレート１５４、１５５に固定されると共にスタッド部１６５及びソケット部１６７によって糸掛ボス１５が構成され且つスタッド部１６６及びソケット部１６８によって糸掛ボス１６が構成されるようになっている点、(6) 図３２ないし図３３が示すように、補助プレート１５８、１５９に段差２１１が形成されており、ベースプレート１４が折畳姿勢となった状態で補助プレート１５８と補助プレート１５９との間に空洞部２１２が形成されるようになっている点、(7) 図２７が示すように、ケーシング１５２の縦／横比（Ｆ／Ｅ）が２／１に設定されている点である。【０２１２】
ケーシング１５２（図２７参照）は、上記第１の実施形態と同様に樹脂や紙等から構成される。本実施形態では、シート状の樹脂が、図２７が示すような形状に裁断される。ケーシング１５２の側片部１７０〜１７３がそれぞれ折曲線１７４〜１７７で折り曲げられる。側片部１７０〜１７３は、中央部１６９に対して起立する。側片部１７０が折曲線１７８で折り曲げられると共に側片部１７３が折曲線１７９、１８０で折り曲げられる。これにより、直方体の箱状に形成されたケーシング１５２が組み立てられる。側片部１７３の端縁部１８１は、側片部１７１に重ね合わされて固定される。側片部１７２は、ケーシング１５２の底部を構成し、側片部１７０は、前面蓋３６（図１参照）を構成する。第１の実施形態と同様に、この前面蓋３６の端縁部１８２に面ファスナーが設けられ、これにより、前面蓋３６は開閉可能となっている。【０２１３】
本実施形態に係るケーシング１５２では、上記中央部１６９の幅寸法Ｅ（横方向の寸法）は、上記中央部１６９の長手方向寸法Ｆ（縦方向の寸法）の半分に設定されている。ケーシング１５２がこのような形状に形成された場合、糸状体１２が巻き取られる際に（図３７参照）、ベースプレート１４の中央から糸掛ボス１５、１６までの距離が長くなる。つまり、糸状体１２によって形成されるループが扁平した楕円形状となり、ケーシング１５２内でタイトに保持される。このため、一旦糸掛ボス１５、１６に巻回された糸状体１２は、振動等によって容易に解けることがなく、ケーシング１５２内で絡みつくことが防止され、ケーシング１５２内で安定的に保持される。【０２１４】
上記中央部１６９の幅寸法Ｅ及び長手方向寸法Ｆは、ベースプレート１４（図２８参照）の横寸法Ｅ及び縦寸法Ｆに対応している。ケーシング１５２は、折畳姿勢となったベースプレート１４を収容保持する。このベースプレート１４の周囲は、ケーシング１５２によって被覆される（図３５及び図３６参照）。ケーシング１５２にベースプレート１４が収容された状態で、ケーシング１５２の中心１５３とベースプレート１４の中心線（すなわち仮想中心線５８）とが一致する。【０２１５】
前面蓋３６に上記挿通孔１５１が設けられており、この挿通孔１５１にガイドリング４１（図１参照）が取り付けられている。図２７及び図３５が示すように、この挿通孔１５１は、ケーシング１５２の中心１５３から距離ｆの位置に設けられている。この距離ｆは適宜設定される。本実施形態では、この距離ｆは、補助プレート１５８、１５９における仮想中心線５８から真直縁６３（７３）までの距離ｓよりも若干小さく設定されている（図３５参照）。ただし、距離ｆは、距離ｓに対応されていてもよい。要するに、挿通孔１５１が上記仮想中心線５８から変位した位置に設けられていればよい。【０２１６】
図２８が示すように、ベースプレート１４は、上記第１の実施形態と同様にセンタープレート５３及びサイドプレート１５４、１５５を備えている。本実施形態では、センタープレート５３の幅寸法（同図において上下方向の寸法）は、上記第１の実施形態に係るセンタープレート５３の幅寸法よりも若干小さく設定されている。このため、ベースプレート１４は、中央が絞られた形状となっている。もっとも、ベースプレート１４の外形形状は、上記第１の実施形態に係るベースプレート１４と同様の形状であってもよい。【０２１７】
図２８及び図３１が示すように、センタープレート５３に一対の位置決め片１８７が設けられている。この位置決め片１８７は、ベースプレート１４に対する補助プレート１５８、１５９の位置決めを行うものである。位置決め片１８７は、熱成形によりベースプレート１４と一体的に形成されている。各位置決め片１８７は、所定の間隔で並設されている。この間隔は、補助プレート１５８、１５９を連結する連結帯１６０（図３２参照）の幅寸法に対応されている。したがって、この連結帯１６０が一対の位置決め片１８７の間に嵌め込まれて固定されることにより、ベースプレート１４に対して補助プレート１５８、１５９の位置が決められる。【０２１８】
サイドプレート１５５に上記ソケット部１６８が設けられている。サイドプレート１５４にも上記ソケット部１６７が設けられている。ソケット部１６７は、ソケット部１６８と同様の形状であり、ソケット部１６８と左右対称の位置に配置されている（図２８参照）。これらソケット部１６７、１６８は、糸掛ボス１５、１６の一部を構成するものであり、図３が示す糸掛ボス１５、１６の位置と同じ位置に設けられている。これらソケット部１６７、１６８は、熱成形によりサイドプレート１５４、１５５と一体的に形成される。【０２１９】
図２９が示すように、これらソケット部１６７、１６８は、それぞれ、サイドプレート１５４、１５５から隆起した隆起部２１３からなる。各隆起部２１３は、円形の凹部２１５を備えている。なお、同図（ｂ）は、同図（ａ）の部分拡大図であって、ソケット部１６８の構造を詳細に示している。この凹部２１５は、隆起部２１３の上面２１４の中央に設けられている。凹部２１５の内径寸法は、後に詳述されるスタッド部１６５、１６６の外径寸法に対応されている。【０２２０】
図３２が示すように、補助プレート１５８及び補助プレート１５９は、連結帯１６０を基準に左右対称に形成されている。補助プレート１５８は中央部にスタッド部１６５を備え、補助プレート１５９は中央部にスタッド部１６６を備えている。スタッド部１６６は、スタッド部１６５と同様の形状であり、スタッド部１６５と左右対称の位置に配置されている。これらスタッド部１６５、１６６は、それぞれ、図３が示す糸掛ボス１５、１６の位置と同じ位置に設けられている。スタッド部１６５は、上記ソケット部１６７と協働して糸掛ボス１５を構成する。スタッド部１６６は、上記ソケット部１６８と協働して糸掛ボス１６を構成する。これらスタッド部１６５、１６６は、熱成形により補助プレート１５８、１５９と一体的に形成されている。【０２２１】
図３３及び図３４が示すように、スタッド部１６５及びスタッド部１６６は、それぞれ、基部１８５と嵌合部１８６とを備えている。基部１８５及び嵌合部１８６は円柱状に形成されている。両者の中心は一致されている。スタッド部１６５の基部１８５及び嵌合部１８６の中心線は、糸掛ボス１５の軸方向２９と一致している。スタッド部１６６の基部１８５及び嵌合部１８６の中心線は、糸掛ボス１６の軸方向３０と一致している。基部１８５の外径よりも嵌合部１８６の外径が小さく設定されている。嵌合部１８６は、基部１８５の上に載せられた状態で形成されている。【０２２２】
基部１８５及び嵌合部１８６は、補助プレート１５８の内面２１６（ベースプレート１４と対向する面）及び補助プレート１５９の内面２１７（ベースプレート１４と対向する面）が陥没することによって形成されている。嵌合部１８６の外径寸法は、前述のように上記ソケット部１６７、１６８の凹部２１５の内径に対応されている。両者はがたつくことなく嵌合される。嵌合部１８６の外径寸法と凹部２１５の内径寸法との間に所定のはめあいが設定されるならば、上記嵌合部１８６はソケット部１６８に圧入され、一定の保持力で固定される。なお、スタッド部１６５、１６６がソケット部１６７、１６８に嵌め込まれた状態で、両者は熱融着により固着される。【０２２３】
補助プレート１５９の縁部２１９に上記堤部１５７が設けられている。補助プレート１５８の縁部２１８にも上記堤部１５６が設けられている。この堤部１５６は、堤部１５７と同様の形状であり、堤部１５７と左右対称の位置に配置されている。これら堤部１５６、１５７は、熱成形により補助プレート１５８、１５９と一体的に形成されている。【０２２４】
図３３及び図３４が示すように、堤部１５６は、補助プレート１５８の内面２１６が陥没することによって形成されている。同様に、堤部１５７は、補助プレート１５９の内面２１７が陥没することによって形成されている。補助プレート１５８、１５９は、サイドプレート１５４、１５５の内側に配置される（図３５及び図３６参照）。このため、堤部１５６は、補助プレート１５８からサイドプレート１５４側に向かって延びる。同様に、堤部１５７は、補助プレート１５９からサイドプレート１５５側に向かって延びる。【０２２５】
堤部１５６、１５７は細長の突条からなる。堤部１５６は、スタッド部１６５の中心（すなわち糸掛ボス１５の中心）を中心として円弧状に形成されている。堤部１５７は、スタッド部１６６の中心（すなわち糸掛ボス１６の中心）を中心として円弧状に形成されている。本実施形態では、図３２が示すように、堤部１５６、１５７は、それぞれ、仮想中心線５８を基準として上下方向に対称に延びている。もっとも、堤部１５６、１５７は、仮想中心線５８を基準として対称に延びていなくてもよい。図３４が示すように、堤部１５６及び堤部１５７の断面形状は三角形を呈している。堤部１５６は、補助プレート１５８からサイドプレート１５４に向かって尖った形状となっており、堤部１５７は、補助プレート１５９からサイドプレート１５５に向かって尖った形状となっている。本実施形態では、堤部１５６及び堤部１５７の先端は、それぞれ、サイドプレート１５４及びサイドプレート１５５に接触している。もっとも、堤部１５６、１５７の先端とサイドプレート１５４、１５５との間に隙間が形成されていもよい。上記堤部１５６、１５７が設けられていることによる作用効果及びこれら堤部１５６、１５７の先端がサイドプレート１５４、１５５に接触していることによる作用効果については後述される。【０２２６】
補助プレート１５８の内面２１６及び補助プレート１５９の内面２１７に上記段差２１１が形成されている。図３４が示すように、補助プレート１５９に設けられた段差２１１は、上記内面２１７が陥没することによって形成されている。つまり、補助プレート１５９のうち糸掛ボス１６の周辺領域２２１が、堤部１５７が突出する向きに凸となるように形成されている。この段差２１１が設けられることにより、上記周辺領域２２１は、軸方向３０の方向であって堤部１５７が突出する向きに陥没している。【０２２７】
図３３が示すように、補助プレート１５８にも段差２１１が設けられている。この段差２１１は、上記内面２１６が陥没することによって形成されている。つまり、補助プレート１５８のうち糸掛ボス１５の周辺領域２２０が、堤部１５６が突出する向きに凸となるように形成されている。この段差２１１が設けられることにより、上記周辺領域２２０は、軸方向２９の方向であって堤部１５６が突出する向きに陥没している。【０２２８】
図３２が示すように、補助プレート１５８に形成された段差２１１によって陥没した領域２２０と、補助プレート１５９に形成された段差２１１によって陥没した領域２２１とは、左右対称に配置されている。したがって、ベースプレート１４が折畳姿勢に変化したときは、領域２２０と領域２２１とが対向し（図３６参照）、補助プレート１５８、１５９間に上記空洞部２１２が形成される。【０２２９】
補助プレート１５８は、フランジ部２２２と、底縁部２２３と、脚部２２４とを備えている。フランジ部２２２は、上記第１の実施形態に係る補助プレート１７の円形部２７に相当する。底縁部２２３は、上記連結帯１６０からなる。底縁部２２３は、ベースプレート１４の第１境界部位１９に固定されている。フランジ部２２２は、脚部２２４及び底縁部２２３と一体的に形成されている。フランジ部２２２は、仮想切断線５７に沿って切断されており、真直縁６３が形成されている。脚部２２４は、フランジ部２２２に連続して補助プレート１５９側へ延びている。補助プレート１５８がベースプレート１４に取り付けられた状態で、脚部２２４は、センタープレート５３側へ延びる（図３５参照）。この脚部２２４の幅方向寸法Wは、フランジ部２２２からセンタープレート５３側へ（すなわち連結帯１６０側へ）向かう向きに沿って漸次小さくなっている。【０２３０】
フランジ部２２２の中心は、スタッド部１６５の中心（すなわち糸掛ボス１５の中心）と一致されている。前述のように、上記スタッド部１６５は、上記ソケット部１６７と協働して糸掛ボス１５を構成するから、スタッド部１６５の底面、すなわちフランジ部２２２の上面は、糸掛ボス１５の先端面２５（図３参照）を構成する。換言すれば、フランジ部２２２は、糸掛ボス１５の先端面２５に設けられたフランジを構成している。【０２３１】
脚部２２４は、略台形状に形成されている。脚部２２４は、第１側縁１６１及び第２側縁１６３を備えている。図３２が示すように、第１側縁１６１及び第２側縁１６３は、仮想中心線５８の両側（同図において上側及び下側）に配置されている。第１側縁１６１は、底縁部２２３（すなわち連結帯１６０）からフランジ部２２２の一端側（同図において上側）へ延びている。第１側縁１６１は、連結帯１６０の一端（同図において上端）と真直縁６３の下端１２９とを接続している。第２側縁１６３は、連結帯１６０の他端（同図において下端）に連続してフランジ部２２２の他端側（同図において下側）に接続されている。【０２３２】
上記仮想切断線５７は、上記仮想中心線５８と平行に配置されている。仮想切断線５７は、仮想中心線５８から距離Ｓの位置に配置されている。この距離Ｓは、上記第１の実施形態と同様に、
ｄ／２＜Ｓ≦Ｄ／２−（Ｄ−ｄ）／６    −−−−−−−−−−（１）
で示される範囲に設定される。但し、ｄは糸掛ボス１５の外径であり、Ｄはフランジ部２２２の幅寸法である。【０２３３】
補助プレート１５９は、補助プレート１５８と同様の構成である。補助プレート１５９は、フランジ部２２５と、底縁部２２６と、脚部２２７とを備えている。フランジ部２２５は、上記第１の実施形態に係る補助プレート１８の円形部６４に相当する。底縁部２２６は、上記連結帯１６０からなる。底縁部２２６は、ベースプレート１４の第２境界部位２０に固定されている。フランジ部２２５も上記仮想切断線５７に沿って切断されており、フランジ部２２５は、真直縁７３を備えている。脚部２２７は、フランジ部２２５及び底縁部２２６に連続して補助プレート１５８側へ（センタープレート５３側）へ延びている。この脚部２２７の幅方向寸法Wは、フランジ部２２５からセンタープレート５３側へ（すなわち連結帯１６０側へ）向かう向きに沿って漸次小さくなっている。【０２３４】
フランジ部２２５の中心は、スタッド部１６６の中心（すなわち糸掛ボス１６の中心）と一致されている。前述のように、上記スタッド部１６６は、上記ソケット部１６８と協働して糸掛ボス１６を構成するから、スタッド部１６６の底面、すなわちフランジ部２２５の上面は、糸掛ボス１６の先端面２６（図３参照）を構成する。換言すれば、フランジ部２２５は、糸掛ボス１６の先端面２６に設けられたフランジを構成している。【０２３５】
補助プレート１５９の脚部２２７は、略台形状に形成されている。脚部２２７は、第１側縁１６２及び第２側縁１６４を備えている。図３２が示すように、第１側縁１６２及び第２側縁１６４は、仮想中心線５８の両側（同図において上側及び下側）に配置されている。第１側縁１６２は、フランジ部２２５の一端側（同図において上側）へ延びている。第１側縁１６２は、連結帯１６０（すなわち底縁部２２６）の一端（同図において上端）と切断縁７３の下端１３１とを接続している。第２側縁１６４は、底縁部２２６の他端（同図において下端）に連続してフランジ部２２５の他端側（同図において下側）に接続されている。【０２３６】
上記仮想切断線５７は、上記仮想中心線５８と平行に配置されている。仮想切断線５７は、仮想中心線５８から距離Ｓの位置に配置されている。この距離Ｓは、前述のように、          ｄ／２＜Ｓ≦Ｄ／２−（Ｄ−ｄ）／６    −−−−−−−−−−（１）
で示される範囲に設定される。但し、ｄは糸掛ボス１６の外径であり、Ｄはフランジ部２２５の幅寸法である。【０２３７】
補助プレート１５８、１５９（図３２参照）は、ベースプレート１４（図２８参照）に組み付けられる。具体的には、連結帯１６０が位置決め片１８７に嵌め込まれ、補助プレート１５８のスタッド部１６５がベースプレート１４のソケット部１６７に嵌め合わされると共に、補助プレート１５９のスタッド部１６６がベースプレート１４のソケット部１６８に嵌め合わされる。これにより、糸巻１１が組み立てられ、上記第１の実施形態と同様の要領で糸状体（典型的には釣糸）が巻き付けられる。なお、第３の実施形態が開示するように、ソケット部１６７とスタッド部１６５との間及びソケット部１６８とスタッド部１６６との間に、目張りシート１３５が設けられていてもよい。【０２３８】
図３７は、糸状体１２の巻取要領を模式的に示す図である。【０２３９】
前述のように、本実施形態では糸状体１２は釣糸である。ベースプレート１４が展開姿勢に変化された状態で、糸状体１２の一端５１がベースプレート１４の内面２３に固定される。第１の実施形態と同様に、糸状体１２の固定位置は特に限定されるものではない。本実施形態では、糸状体１２は、両糸掛ボス１５、１６の中間であって、補助プレート１５８、１５９の第２側縁１６３、１６４側（同図において下側）に固定されている。この糸状体１２は、ベースプレート１４と補助プレート１５８との間を糸掛ボス１５側に引き回されて、当該糸掛ボス１５の外周面２２に反時計回りに（第２側縁１６３側から第１側縁１６１側に）巻き掛けられる。続いて、糸状体１２は、ベースプレート１４と補助プレート１５８との間からベースプレート１４と補助プレート１５９との間に引き回されて、当該糸掛ボス１６の外周面２４に時計回りに（第２側縁１６４側から第１側縁１６２側に）巻き掛けられる。このとき、糸状体１２は、図３７が示すように、当該糸状体１２とクロスするように引き回される。【０２４０】
さらに、糸状体１２は、ベースプレート１４と補助プレート１５９との間からベースプレート１４と補助プレート１５８との間に引き回される。糸状体１２は、糸掛ボス１５の外周面２２に反時計回りに巻き掛けられた後、前述と同様に糸掛ボス１６に巻き掛けられる。なお、本実施形態では、糸状体１２は、糸掛ボス１５の外周面２２に反時計回りに巻き掛けられた後、糸掛ボス１６の外周面２４に時計回りに巻き掛けられるが、糸状体１２は、糸掛ボス１５の外周面２２に時計回りに巻き掛けられた後、糸掛ボス１６の外周面２４に反時計回りに巻き掛けられてもよいことは勿論である。【０２４１】
換言すれば、ベースプレート１４が展開姿勢に変化された状態で、糸状体１２の一端５１が前述の位置に固定される。糸状体１２は、一方の糸掛ボス１５に巻き掛けられる。このとき、糸状体１２は補助プレート１７の真直縁６３が設けられた側と反対側（上記仮想切断線５７に沿って切断された側と反対側）から糸掛ボス１５に巻き掛けられる。さらに、この糸状体１２は、他方の糸掛ボス１６に巻き掛けられる。この場合も、糸状体１２は補助プレート１８の真直縁７３が設けられた側と反対側（上記仮想切断線５７に沿って切断された側と反対側）から糸掛ボス１６に巻き掛けられる。この糸状体１２は、互いにクロスするように糸掛ボス１５及び糸掛ボス１６に交互に幾重にも巻き掛けられる。【０２４２】
すなわち、この糸状体１２は、８の字を呈するように一対の糸掛ボス１５、１６間に巻き取られ、ベースプレート１４に保持される。所定長さの糸状体１２がベースプレート１４に巻き付けられると、当該糸状体１２が切断され、その他端５２が糸巻１１から外部へ導かれる（図１参照）。糸状体１２が一対の糸掛ボス１５、１６の間に８の字を呈するように巻き付けられるから、糸状体１２が糸掛ボス１５に巻かれる際に発生する撚りと、糸掛ボス１６に巻かれる際に発生する撚りとが相殺され、結果的に糸状体１２が撚れることはない。しかも、糸状体１２は、強く引っ張られることなくきわめて緩やかに糸掛ボス１５、１６に巻き付けられる。【０２４３】
図３５及び図３６が示すように、糸巻１１に糸状体１２が巻き掛けられると、ベースプレート１４が折畳姿勢に変化される。上記第１の実施形態と同様に、糸状体１２は環状に形成される（図９参照）。このとき、糸状体１２は、ほとんど無張力の状態で糸掛ボス１５、１６に巻き付けられ、ベースプレート１４に保持される。したがって、糸状体１２がベースプレート１４に長時間保持されたとしても糸状体１２に巻き癖がつくことがない。【０２４４】
この糸巻１１は、ケーシング１５２（図２７及び図１参照）に収容される。このとき、ケーシング１５２の前面蓋３６が開かれ、糸巻１１がケーシング１５２に挿入される。ベースプレート１４は、ケーシング１５２に隙間なく収容され保持される。糸状体１２の他端５２は、ケーシング１５２の前面蓋３６に設けられたガイドリング４１に挿通される。この状態で前縁蓋３６が閉じられる。糸状体１２の他端５２は、ケーシング１５２の外部に引き出され、糸状体ユニット１０の組み立てが完成する。【０２４５】
この糸状体１２の使用者（釣人）は、糸状体１２の他端５２を引っ張ることにより、所望の長さの糸状体１２をベースプレート１４から引き出すことができる。このとき、糸掛ボス１５及び糸掛ボス１６に巻き掛けられた糸状体１２は、これら各糸掛ボス１５、１６から交互に解けるように引き出される。したがって、糸状体１２は、使用者の意に反して多量にベースプレート１４から引き出されることはない。【０２４６】
ベースプレート１４が折畳姿勢となったときは、第１の実施形態と同様に、一対の糸掛ボス１５、１６は互いに対向し、補助プレート１５８、１５９も互いに対向する。第１の実施形態と同様に、糸状体１２は、糸掛ボス１５に巻き掛けられた後、補助プレート１５８の脚部２２４の第１側縁１６１及び補助プレート１５９の脚部２２７の第２側縁１６４を経て糸掛ボス１６に巻き掛けられる。続いて、糸状体１２は、当該脚部２２７の第１側縁１６２及び補助プレート１５８の脚部２２４の第２側縁１６３を経て糸掛ボス１５に巻き掛けられている。つまり、糸状体１２は、糸掛ボス１５に巻き掛けられた後に、螺旋ループを描くように糸掛ボス１６に巻き掛けられ、その後同様に各糸掛ボス１５、１６に交互に巻き掛けられている。【０２４７】
このように、糸状体１２は幾重にも重なった螺旋ループ状に巻回される。糸状体１２の使用者が当該糸状体１２の他端５２を引っ張ると、当該他端５２に最も近いループが解け、続いて当該ループに隣り合うループが順に解ける。糸状体１２によって形成される螺旋ループは、第１の実施形態に係る糸巻１１と同様の要領で解ける。まず、糸状体１２の他端５２が引っ張られると、ガイドリング４１（図１参照）から糸状体１２が引き出される。これにより、上記他端５２の直近の螺旋ループ、例えば糸掛ボス１５に巻き掛けられている螺旋ループが絞られる。つまり、当該ループの径が小さくなる。【０２４８】
図３７が示すように、糸状体１２は、補助プレート１５８の脚部２２４の第２側縁１６３、糸掛ボス１５、当該脚部２２４の第１側縁１６１に巻き掛けられている。同様に、糸状体１２は、補助プレート１５９の脚部２２７の第２側縁１６４、糸掛ボス１６、当該脚部２２７の第１側縁１６２に巻き掛けられている。したがって、上記螺旋ループの径が小さくなると、当該糸状体１２は、上記脚部２２４の第１側縁１６１に沿って当該脚部２２４からフランジ部２２２側へ移動する。同様に、当該糸状体１２は、上記脚部２２７の第１側縁１６２に沿って当該脚部２２７からフランジ部２２５側へ移動する。しかも、フランジ部２２２及びフランジ部２２５は、上記仮想切断線５７（図３２参照）に沿って切断されているから、糸状体１２は、補助プレート１５８（１５９）が変形しなくても上記第１側縁１６１（１６２）及び真直縁６３（７３）に沿って移動して円滑に糸掛ボス１５から外れる。【０２４９】
本実施形態では、図３２及び図３５が示すように、上記第１側縁１６１（１６２）の傾斜角度θ１は上記第２側縁１６３（１６４）の傾斜角度θ２よりも小さい。換言すれば、上記第２側縁１６３（１６４）は、上記仮想中心線５８に対して横方向に大きく張り出している。したがって、ループ状の糸状体１２が第１側縁１６１（１６２）に沿って円滑に移動すると共に、当該糸状体１２は、第２側縁１６３（１６４）に引っ掛かった状態になる傾向にある。このため、ループ状の糸状体１２が勢いよく糸掛ボス１５、１６から外れ、これに引かれて一気に糸状体１２が解けてしまうことが防止される。本実施形態では、傾斜角度θ１は１７°（ｄｅｇｒｅｅ）に設定され、傾斜角度θ２は４５°に設定されている。なお、各傾斜角度θ１、θ２の大きさは特に限定されるものではなく、要するに、傾斜角度θ１が傾斜角度θ２よりも小さく設定されていればよい。【０２５０】
第２側縁１６３は、図３２において仮想中心線５８に沿って左側に（糸掛ボス１５から遠ざかる方向に）移動した位置（例えば、図３５において二点鎖線２２９で示される位置）に配置されていてもよい。その場合、補助プレート１５９の第２側縁１６４も、図３２において仮想中心線５８に沿って右側に（糸掛ボス１６から遠ざかる方向に）移動した位置（例えば、図３５において二点鎖線２２９で示される位置）に配置されていてもよい。このように、第２側縁１６３、１６４が糸掛ボス１５、１６から遠ざかることによって、糸状体１２が解ける際に一定の制動力が作用する。したがって、当該ループ状が解けていくに連れて隣り合うループ状の糸状体１２が引きずられて解けてしまうことが確実に防止される。その結果、幾重にも巻回された糸状体１２は、縺れることなく順番に解ける。【０２５１】
第１側縁１６１（１６２）及び第２側縁１６３（１６４）は、真直な辺部により構成されている必要はない。図３２が示すように、本実施形態では、第２側縁１６３（１６４）は折り曲げられた２つの辺部を備えている。第２側縁１６３（１６４）のうち一方の辺部２３０は、上記仮想中心線５８と平行（すなわち傾斜角度θ２＝９０°）である。このように、第１側縁１６１（１６２）及び第２側縁１６３（１６４）は、上記傾斜角度がθ１、θ２（但し、０°＜θ１＜９０°、０°＜θ２＜９０°）となる部分を備えていれば十分である。【０２５２】
本実施形態に係る糸巻１１は、上記第１の実施形態と同様に、巻き癖を付けることなく糸状体１２を巻き取ることができるし、糸状体１２が糸巻１１から引き出される際に補助プレート１５８、１５９等に強く摺動することがない。そのため、補助プレート１５８、１５９は可撓性を備える必要がない。したがって、補助プレート１５８、１５９を構成する材料は特に限定される必要がなく、安価な材料が採用され得る。その結果、糸巻１１がコスト安価に製造され、糸状体ユニット１０の製造コストも低減される得る。【０２５３】
この糸巻１１では、上記仮想切断線５７が上記仮想中心線５８から上記距離Ｓの位置に配置されているから、糸状体１２の材質にかかわらず糸状体１２が糸巻１１から円滑に引き出される。すなわち、糸状体１２がナイロン糸、フロロカーボン糸、いわゆるＰＥラインであっても円滑に糸巻１１から引き出される。【０２５４】
本実施形態に係る糸状体ユニット１０は、第１の実施形態と同様にガイドリング４１を備えている。そのため、糸状体１２は、より一層円滑に引き出されるという利点がある。【０２５５】
本実施形態に係る糸状体ユニット１０は、糸巻１１が糸状体１２とは別個に製造され、糸巻１１に対して糸状体１２が巻き付けられる工程、ベースプレート１４が折畳姿勢に姿勢変化される工程及び糸巻１１がケーシング１５２に収容される工程を経て完成される。すなわち、糸巻１１のみが予め大量に製造され得るので、部品としての糸巻１１がきわめて安価に製造され得る。また、糸状体１２も大量生産され得るものであるから、糸状体ユニット１０の製造コストが一層低減される。しかも、糸巻１１は、前述のように姿勢変化するベースプレート１４を備えているから、糸状体１２が使用された後は、ベースプレート１４が展開姿勢に変化されることにより、再び糸状体１２のみが糸巻１１に巻き付けられる。すなわち、糸巻１１のリサイクルが可能であり、ゴミの発生が抑制される。【０２５６】
この糸巻１１は、図３５ないし図３７が示すように、堤部１５６、１５７を備えている。糸状体１２は、糸掛ボス１５、１６の周りにループ状に幾重にも巻回されている。糸状体１２は、その剛性により糸掛ボス１５、１６を中心にして外側へ拡がる傾向にある。そのため、糸状体１２が糸巻１１から引き出されると、ループ状の糸状体１２が一気に解けてしまうおそれがある。前述のように、糸状体１２に撚りが生じないのは、一方の糸掛ボス１５（又は糸掛ボス１６）に巻かれる際に発生する撚りと、他方の糸掛ボス１６（又は糸掛ボス１５）に巻かれる際に発生する撚りとが相殺されるからである。すなわち、糸状体１２が引き出されて一のループが解けていく際に、糸状体１２が一方の糸掛ボス１５（又は糸掛ボス１６）側から外れた瞬間に撚りが発生する。この撚りは、当該糸状体１２が他方の糸掛ボス１６（又は糸掛ボス１５）から外れることによって相殺される。但し、この撚りが相殺されるまでに糸状体１２が大きく拡がり、この拡がる糸状体１２に引きずられるようにして他のループが補助プレート１５８、１５９の外側に外れてしまうことがある。このため、糸状体１２が引き出される際に絡みついてしまう可能性がある。【０２５７】
この糸巻１１では、上記堤部１５６、１５７が設けられているから、糸状体１２が糸掛ボス１５、１６を中心にして外側へ拡がることが規制される。糸状体１２によって形成される各ループは、補助プレート１５８、１５９から外側へ外れてしまうことがない。したがって、糸状体１２の絡みが防止され、糸状体１２が糸巻１１から円滑に引き出される。なお、堤部１５６、１５７の高さ寸法は、特に限定されるものではない。本実施形態では、図３６が示すように、堤部１５６（１５７）の先端がサイドプレート１５４（１５５）に接するように堤部１５６、１５７の高さ寸法が設定されている。したがって、糸状体１２は、堤部１５６、１５７の先端とサイドプレート１５４（１５５）との間をすり抜けて引き出され、糸状体１２の拡がりが確実に防止される。図３５及び図３７が示すように、この堤部１５６、１５７は突条からなり、糸掛ボス１５、１６を中心とする円弧状に形成されている。このため、仮に糸状体１２が糸掛ボス１５、１６を中心に外側に拡がろうとしても、堤部１５６、１５７がループ状の糸状体１２の周囲に均等に当接する。したがって、糸状体１２の拡がりが一層確実に防止される。【０２５８】
特に本実施形態に係る糸巻１１では、堤部１５６、１５７は、補助プレート１５８、１５９の縁部からサイドプレート１５４、１５５の縁部に向かって突出している。【０２５９】
上記糸状体１２は、ベースプレート１４が展開姿勢にある状態で糸掛ボス１５、１６に巻き掛けられる。この状態でベースプレート１４が折畳姿勢に変化されると、糸状体１２は、前述のような多重螺旋ループ状に形成される。糸状体１２が引っ張られると、当該糸状体１２は、多重螺旋ループの中央（折り畳まれた糸状体の中央）から引き出される。【０２６０】
前述のように、糸状体１２が引き出される際に、糸状体１２が糸掛ボス１５（１６）から外れた瞬間に撚りが発生し、この撚りは、糸状体１２が糸掛ボス１６（１５）からも外れることによって相殺される。この撚りが相殺されるまでに糸状体１２が大きく拡がり、これに引きずられるようにして他のループが補助プレート１５８、１５９の外側に外れてしまう可能性がある。【０２６１】
ベースプレート１４が折畳姿勢となったときは、当該ベースプレート１４の内側に補助プレート１５８、１５９が配置される。したがって、上記堤部１５６、１５７は、補助プレート１５８、１５９からサイドプレート１５４、１５５に向かって突出する。すなわち、堤部１５６、１５７は、図３６が示すように、折り畳まれたベースプレート１４の中央から外側に向かって突出する。このため、糸状体１２は、多重螺旋ループの中央から引き出され、堤部１５６、１５７によってサイドプレート１５４、１５５側へ導かれる。すなわち、糸状体１２は、多重螺旋ループの中央から一旦外側へ導かれた後にケーシング１５３の挿通孔１５１から外部へ引き出される。【０２６２】
前述のように、糸状体１２が引っ張られて螺旋ループが解けていく際に、当該螺旋ループに隣り合う螺旋ループあるいは当該螺旋ループの近傍に位置する螺旋ループが引きずられて糸状体１２と一緒に引き出される可能性がある。その場合、糸状体１２が引っ張られる方向と螺旋ループが引きずられる方向とが略一致するならば、引きずられる螺旋ループと引き出される糸状体１２とが絡み合う可能性が高くなる。本実施形態に係る糸巻１１では、引っ張られる糸状体１２は堤部１５６、１５７によって一旦外側へ導かれるから（図３６参照）、糸状体１２が引っ張られる方向と螺旋ループが引きずられる方向とが異なる。したがって、仮に螺旋ループが引きずられたとしても、引っ張られる糸状体１２と絡みつくことが確実に防止される。【０２６３】
本実施形態では、図３４及び図３６が示すように、補助プレート１５８、１５９に段差２１１が形成されている。ベースプレート１４が折畳姿勢となったときは、補助プレート１５８、１５９同士が重ねられた状態となる。上記段差２１１が形成されることにより、糸掛ボス１５、１６の周辺の領域２２０、２２１が前述のように陥没する。すなわち、この領域２２０、２２１は、折り畳まれたベースプレート１４の中央から外側に向かって陥没する。このため、ベースプレート１４が折畳姿勢となったときは、上記領域２２０、２２１が背中合わせの状態で重ねられ、補助プレート１５８と補助プレート１５９との間に空洞部２１２が形成される。【０２６４】
図３６が示すように、糸状体１２が引っ張られると、多重螺旋ループが順に解ける。糸状体１２は、重ねられた補助プレート１５８と補助プレート１５９との間をすり抜ける。このとき、引っ張られる糸状体１２が形成する螺旋ループに隣り合う螺旋ループあるいはこの近傍に位置する螺旋ループが引きずられて、引っ張られる糸状体１２と一緒に補助プレート１５８、１５９同士の間に進入するおそれがある。その場合であっても、上記空洞部２１２が形成されているから、仮に糸状体１２と一緒に他の螺旋ループが補助プレート１５８と補助プレート１５９との間に進入しても、上記空洞内２１２では糸状体１２のみが引っ張られ、螺旋ループは、当該空洞内２１２で待機する。したがって、引きずられる螺旋ループと引き出される糸状体１２とが絡み合うことが確実に防止される。【０２６５】
上記空洞部２１２は、上記段差２１１が設けられた補助プレート１５８、１５９が対向されることにより構成される。すなわち、補助プレート１５８、１５９が対向されることによって上記段差２１１同士が接触し、この段差２１１により区画される上記領域２２０（２２１）が上記空洞部２１２を構成する。糸状体１２の使用者は、糸巻１１を一方の手で把持し、他方の手で糸状体１２を引っ張る。このとき、仮に使用者が強くケーシング１５２を握ったとしても、上記空洞部２１１が形成されているから、補助プレート１５８、１５８が容易に撓む。すなわち、上記空洞部２１１の中央が凹むように補助プレート１５８、１５９が変形する。このため、糸状体１２が補助プレート１５８、１５９の間をすり抜ける際に、各補助プレート１５８、１５９に形成された段差２１１によって糸状体１２が強く挟持されることはない。その結果、糸状体１２は、損傷を受けることなく補助プレート１５８、１５９の間を通って外部へ引き出される。【０２６６】
本実施形態では、ガイドリング４１は、糸掛ボス１５、１６の中心すなわち仮想中心線５８に対してオフセットされている。糸状体１２は、ガイドリング４１から引き出されるから、糸状体１２は、ガイドリング４１の方へ引っ張られる。このガイドリング４１がオフセットされているから、糸状体１２は、補助プレート１５８、１５９の第１側縁１６１、１６２をより一層滑らかに移動することができる。したがって、糸状体１２は、なお一層ストレス無く円滑に引き出される。【０２６７】
次に、本実施形態の変形例について説明される。【０２６８】
本実施形態においても上記第３の実施形態の変形例と同様の変形例が考えられる。すなわち、上記堤部１５６、１５７が仮想中心線５８に対して非対称に形成されていてもよい。また、サイドプレート１５４、１５５の側部に他の堤部が設けられていてもよい。これにより、糸掛ボス１５、１６を中心にして糸状体１２が外側へ拡がることがより一層防止される。【０２６９】
図３８は、本実施形態の他の変形例に係る糸状体ユニットのベースプレート２３４の平面図である。図３９は、本実施形態の他の変形例に係る糸状体ユニットの補助プレート２３５、２３６の平面図である。図４０は、本実施形態の他の変形例に係る糸状体ユニットの一部断面側面図である。図４１は、図４０における一部拡大図である。【０２７０】
この変形例に係る糸状体ユニットが本実施形態に係る糸状体ユニットと異なるところは、図３８が示すように、サイドプレート２３７に折曲補助線２３９、２４１（第３折曲補助線）が設けられ、サイドプレート２３８に折曲補助線２４０、２４２（第３折曲補助線）が設けられている点、図３９が示すように、補助プレート２３５及び補助プレート２３６を接続する連結帯１６０（底縁部）に折曲補助線２４３、２４４（第１折曲補助線）及び折曲補助線２４５、２４６（第２折曲補助線）が形成されている点、及び図４０が示すように、補助プレート２３５、２３６及びベースプレート２３４が折り畳まれることにより、糸状体ユニットの全長Ｌが短くなり糸状体ユニットが小型化される点である。【０２７１】
図３９が示すように、折曲補助線２４３〜２４６は、連結帯１６０の中心２４７を基準にして対称に配置されている。具体的には、折曲補助線２４３、２４４は、同図において中心２４７を基準に左右対称の位置に配置されている。折曲補助線２４５、２４６も同図において中心２４７を基準に左右対称の位置に配置されている。折曲補助線２４３〜２４６は、例えば連結帯１６０に刻まれた微細溝から構成される。連結帯１６０は、これら折曲補助線２４３〜２４６の位置で容易に屈曲される。【０２７２】
図４１（図４０）が示すように、ベースプレート２３４が折畳姿勢に変化すると、連結帯１６０の両端部が折曲補助線２４３、２４４の位置で折り曲げられる。これにより、連結帯１６０の一端部２４８は、脚部２２４の内側へ折り曲げられ、当該脚部２２４と重なり合う。連結帯１６０の他端部２４９は脚部２２７の内側へ折り曲げられ、当該脚部２２７と重なり合う。折曲補助線２４３、２４４が左右対称に配置されているから、上記一端部２４８、２４９も左右対称に折り曲げられる。さらに、連結帯１６０は、折曲補助線２４５、２４６の位置で折り曲げられる。これにより、連結帯１６０の中間部２５０は、図４１において下方へ、すなわちベースプレート２３４側に凸となるように湾曲する。【０２７３】
図３８が示すように、折曲補助線２３９〜２４２は、センタープレート５３の中心（すなわち、連結帯１６０の中心２４７）を基準にして対称に配置されている。具体的には、折曲補助線２４１、２４２は、同図において中心２４７を基準に左右対称の位置に配置されている。折曲補助線２３９、２４０も同図において中心２４７を基準に左右対称の位置に配置されている。折曲補助線２３９〜２４２は、例えばサイドプレート２３７、２３８に刻まれた微細溝から構成される。サイドプレート２３７、２３８は、これら折曲補助線２３９〜２４２の位置で容易に屈曲される。【０２７４】
図４１（図４０）が示すように、ベースプレート２３４が折畳姿勢に変化する際に、当該ベースプレート２３４も折曲補助線２３９〜２４２の位置で折り曲げられる。具体的には、サイドプレート２３７、２３８が折曲補助線２４１、２４２の位置で内側に折り曲げられる。さらに、サイドプレート２３７、２３８は、折曲補助線２３９、２４０の位置で外側に折り曲げられる。折曲補助線２４１、２４２は左右対称に配置され、折曲補助線２３９、２４０も左右対称に配置されているから、ベースプレート２３４及びサイドプレート２３７、２３８は、蛇腹状に折り畳まれる。【０２７５】
この変形例に係る糸状体ユニットでは、一対の補助プレート２３５、２３６が連結帯１６０によって連結され、単一の部品として構成される。したがって、ベースプレート２３４が折畳姿勢に変化したときは、重ね合わされたベースプレート２３４及び補助プレート２３５、２３６が折り畳まれることになる。そのため、ベースプレート２３４が折畳姿勢に変化すると、補助プレート２３５、２３６、特に連結帯１６０及び脚部２２４、２２７に弛みが生じ、補助プレート２３５、２３６が弾性的に変形する。仮に、補助プレート２３５、２３６の一部が内側に突出するように変形した場合、例えば連結帯１６０が図４１において上側に凸となるように変形した場合、補助プレート２３５、２３６間に形成される空間２５１が狭くなる。その結果、糸掛ボス１５、１６に巻き取られた糸状体１２が空間２５１内で圧迫されるおそれがある。【０２７６】
この糸状体ユニットでは、図４１が示すように、ベースプレート２３４が折畳姿勢に変化したとき、連結帯１６０が折曲補助線２４３、２４４の位置で折り返されて脚部２４４、２４７の内側に重ねられ、さらに、連結帯１６０が折曲補助線２４５、２４６の位置で屈曲されることにより、中間部２５０がベースプレート２３４側に突出するように湾曲される。これにより、上記空間２５１が狭くならず、糸状体１２が圧迫されることはない。したがって、糸状体１２が引き出される際に、補助プレート２３５及び補助プレート２３６によって強く挟持されることがなく、糸状体１２は損傷を受けることなく円滑に引き出される。【０２７７】
本変形例では、図４１が示すように、サイドプレート２３７、２３８がセンタープレート５３に対して蛇腹状に折り畳まれる。このため、ベースプレート２３４が折畳姿勢に変化したときは、ベースプレート２３４の長さが短くなる。すなわち、糸状体ユニットの全長Ｌが短くなる。したがって、釣人その他糸状体ユニットの使用者にとって、当該糸状体ユニットは、コンパクトで使いやすいものとなる。【０２７８】
糸巻１１について単なるコンパクト設計を行うことは簡単である。ところが、一対の糸掛ボス１５、１６間の距離は短くなる。具体的には、図３８が示すように、サイドプレート２３７、２３８が蛇腹状に折り畳まれることにより、糸掛ボス１５、１６間の距離は、２ｋだけ短くなる。ここで、ｋは、第１境界部位１９と折曲補助線２４１との間の距離（第２境界部位２０と折曲補助線２４２との間の距離）である。このように、糸掛ボス１５、１６間の距離が短くなると、所定長さの糸状体１２が各糸掛ボス１５、１６間に巻き取られる場合に巻き回数が増加する。つまり、巻取作業のコストが増大する。しかし、本変形例では、ベースプレート２３４が展開姿勢のときは、一対の糸掛ボス１５、１６間の距離が長くなるので、糸状体１２が巻き取られる際の巻き回数が増加することはない。したがって、巻取作業のコストの増大が避けられると共に、製品としての糸状体ユニットは、コンパクトなものになる。【０２７９】
本変形例では、折曲補助線２３９〜２４２及び折曲補助線２４３〜２４６の位置は、特に限定されるものではない。すなわち、これら折曲補助線２３９〜２４６は、上記中心２４７（図３８、図３９参照）を基準にして、任意の位置に配置され得る。したがって、ベースプレート２３４が展開姿勢の状態で、糸掛ボス１５、１６間の距離が一定以上に確保されたとしても、ベースプレート２３４が折畳姿勢となったときの糸状体ユニットの全長Ｌは、設計者の所望の寸法に設定され得る。【０２８０】
本変形例において、補助プレート２３５、２３６に真直縁６３、７３が省略されてもよい。すなわち、補助プレート２３５、２３６が仮想切断線５７に沿って切断されずに、略扇形に形成されていてもよい。本変形例において、補助プレート２３５、２３６の第１側縁１６１と第２側縁１６３との傾斜角度θ１、θ２が同じであってもよい。本変形例において、堤部１５６、１５７、１３８、１３９、１４０、１４１が省略されていてもよい。本変形例において、ケーシング１５２の挿通孔１５１は、オフセットされていなくてもよい。このような場合であっても、補助プレート２３５、２３６が前述のように折り畳まれることにより、糸状体１２は補助プレート２３５、２３６に強く挟持されることがなく、糸状体１２は、損傷を受けることなく円滑に引き出される。
【図面の簡単な説明】
【０２８１】
【図１】図１は、本発明の第１の実施形態に係る糸状体ユニットの斜視図である。
【図２】図２は、本発明の第１の実施形態に係る糸状体ユニットの分解斜視図である。
【図３】図３は、本発明の第１の実施形態に係る糸巻の拡大斜視図である。
【図４】図４は、本発明の第１の実施形態に係る糸巻の平面図である。
【図５】図５は、図４におけるＶ−Ｖ断面図である。
【図６】図６は、本発明の第１の実施形態に係る糸巻の前面蓋の要部拡大断面図である。
【図７】図７は、本発明の第１の実施形態に係る糸巻のケーシングの要部拡大断面図である。
【図８】図８は、本発明の第１の実施形態に係る糸巻の糸状体の巻取要領を模式的に示す図である。
【図９】図９は、本発明の第１の実施形態に係る糸巻の側面図である。
【図１０】図１０は、本発明の第２の実施形態に係る糸巻の平面図である。
【図１１】図１１は、図１０におけるXI−XI断面図である。
【図１２】図１２は、本発明の第２の実施形態に係る糸巻の側面図である。
【図１３】図１３は、本発明の第３の実施形態に係る糸状体ユニットのケーシングの展開図である。
【図１４】図１４は、本発明の第３の実施形態に係る糸状体ユニットのベースプレートの平面図である。
【図１５】図１５は、本発明の第３の実施形態に係る糸状体ユニットのベースプレートの一部断面側面図である。
【図１６】図１６は、図１４におけるXVI−XVI断面図である。
【図１７】図１７は、図１４におけるXVII−XVII断面図である。
【図１８】図１８は、本発明の第３の実施形態に係る糸状体ユニットの補助プレートの平面図である。
【図１９】図１９は、本発明の第３の実施形態に係る糸状体ユニットの補助プレートの一部断面側面図である。
【図２０】図２０は、ベースプレート及び補助プレートがケーシングに組み込まれた状態を示す平面図である。
【図２１】図２１は、ベースプレート及び補助プレートがケーシングに組み込まれた状態における一部断面側面図である。
【図２２】図２２は、糸状体の巻取要領を模式的に示す図である。
【図２３】図２３は、本発明の第３の実施形態の第１の変形例に係るベースプレートの平面図である。
【図２４】図２４は、本発明の第３の実施形態の第２の変形例に係るベースプレートの平面図である。
【図２５】図２５は、本発明の第３の実施形態の第２の変形例に係るベースプレートの一部断面側面図である。
【図２６】図２６は、図２４におけるXXVI−XXVI断面図である。
【図２７】図２７は、本発明の第４の実施形態に係る糸状体ユニットのケーシングの展開図である。
【図２８】図２８は、本発明の第４の実施形態に係る糸状体ユニットのベースプレートの平面図である。
【図２９】図２９は、本発明の第４の実施形態に係る糸状体ユニットのベースプレートの一部断面側面図である。
【図３０】図３０は、図２８におけるXXX−XXX断面図である。
【図３１】図３１は、図２８におけるXXXI−XXXI断面図である。
【図３２】図３２は、本発明の第４の実施形態に係る糸状体ユニットの補助プレートの平面図である。
【図３３】図３３は、本発明の第４の実施形態に係る糸状体ユニットの補助プレートの一部断面側面図である。
【図３４】図３４は、図３３における要部拡大図である。
【図３５】図３５は、ベースプレート及び補助プレートがケーシングに組み込まれた状態を示す平面図である。
【図３６】図３６は、本発明の第４の実施形態に係る糸状体ユニットの一部断面側面図である。
【図３７】図３７は、糸状体の巻取要領を模式的に示す図である。
【図３８】図３８は、本発明の第４の実施形態の変形例に係る糸状体ユニットのベースプレートの平面図である。
【図３９】図３９は、本発明の第４の実施形態の変形例に係る糸状体ユニットの補助プレートの平面図である。
【図４０】図４０は、本発明の第４の実施形態の変形例に係る糸状体ユニットの一部断面側面図である。
【図４１】図４１は、図４０における一部拡大図である。
【図４２】図４２は、従来の糸巻の分解斜視図である。
【図４３】図４３は従来の糸巻の内フレームの斜視図である。
【図４４】図４４は従来の糸巻の内フレームの平面図である。
【符号の説明】
【０２８２】
１０・・・糸状体ユニット
１１・・・糸巻
１２・・・糸状体
１３・・・ケーシング
１４・・・ベースプレート
１５・・・糸掛ボス
１６・・・糸掛ボス
１７・・・補助プレート
１８・・・補助プレート
１９・・・第１境界部位
２０・・・第２境界部位
２２・・・外周面  
２４・・・外周面
２５・・・端面
２６・・・端面
２７・・・円形部
２８・・・脚部
５１・・・糸状体の一端
５２・・・糸状体の他端
５３・・・センタープレート
５４・・・サイドプレート
５５・・・サイドプレート
５７・・・仮想切断線
５８・・・仮想中心線
５９・・・底縁
６０・・・第１側縁
６１・・・第２側縁
６２・・・円弧縁
６３・・・真直縁
６４・・・円形部
６５・・・脚部
６９・・・底縁
７０・・・第１側縁
７２・・・第２側縁
７３・・・真直縁
９１・・・挿通孔
９２・・・ケーシング
９４・・・サイドプレート
９５・・・サイドプレート
９６・・・堤部
９７・・・堤部
９８・・・補助プレート
９９・・・補助プレート
１０１・・・第１側縁
１０２・・・第１側縁
１０３・・・第２側縁
１０４・・・第２側縁
１３７・・・ベースプレート
１３８・・・堤部
１３９・・・堤部
１４０・・・堤部
１４１・・・堤部
１４２・・・ベースプレート
１４７・・・側部
１４８・・・側部
１５１・・・挿通孔
１５２・・・ケーシング
１５４・・・サイドプレート
１５５・・・サイドプレート
１５６・・・堤部
１５７・・・堤部
１５８・・・補助プレート
１５９・・・補助プレート
１６０・・・連結帯
１６１・・・第１側縁
１６２・・・第１側縁
１６３・・・第２側縁
１６４・・・第２側縁
１６５・・・スタッド部
１６６・・・スタッド部
１６７・・・ソケット部
１６８・・・ソケット部
２１１・・・段差
２１２・・・空洞部
２１８・・・縁部
２１９・・・縁部
２２０・・・領域
２２１・・・領域
２２２・・・フランジ部
２２３・・・底縁部
２２４・・・脚部
２２５・・・フランジ部
２２６・・・底縁部
２２７・・・脚部
２３４・・・ベースプレート
２３５・・・補助プレート
２３６・・・補助プレート
２３７・・・サイドプレート
２３８・・・サイドプレート
２３９・・・折曲補助線
２４０・・・折曲補助線
２４１・・・折曲補助線
２４２・・・折曲補助線
２４３・・・折曲補助線
２４４・・・折曲補助線
２４５・・・折曲補助線
２４６・・・折曲補助線
２４８・・・一端部
２４９・・・他端部
２５０・・・中間部
２５１・・・空間
【図１】
2009008485.tif 000003
【図２】
2009008485.tif 000004
【図３】
2009008485.tif 000005
【図４】
2009008485.tif 000006
【図５】
2009008485.tif 000007
【図６】
2009008485.tif 000008
【図７】
2009008485.tif 000009
【図８】
2009008485.tif 000010
【図９】
2009008485.tif 000011
【図１０】
2009008485.tif 000012
【図１１】
2009008485.tif 000013
【図１２】
2009008485.tif 000014
【図１３】
2009008485.tif 000015
【図１４】
2009008485.tif 000016
【図１５】
2009008485.tif 000017
【図１６】
2009008485.tif 000018
【図１７】
2009008485.tif 000019
【図１８】
2009008485.tif 000020
【図１９】
2009008485.tif 000021
【図２０】
2009008485.tif 000022
【図２１】
2009008485.tif 000023
【図２２】
2009008485.tif 000024
【図２３】
2009008485.tif 000025
【図２４】
2009008485.tif 000026
【図２５】
2009008485.tif 000027
【図２６】
2009008485.tif 000028
【図２７】
2009008485.tif 000029
【図２８】
2009008485.tif 000030
【図２９】
2009008485.tif 000031
【図３０】
2009008485.tif 000032
【図３１】
2009008485.tif 000033
【図３２】
2009008485.tif 000034
【図３３】
2009008485.tif 000035
【図３４】
2009008485.tif 000036
【図３５】
2009008485.tif 000037
【図３６】
2009008485.tif 000038
【図３７】
2009008485.tif 000039
【図３８】
2009008485.tif 000040
【図３９】
2009008485.tif 000041
【図４０】
2009008485.tif 000042
【図４１】
2009008485.tif 000043
【図４２】
2009008485.tif 000044
【図４３】
2009008485.tif 000045
【図４４】
2009008485.tif 000046
【国際調査報告】
2009008485.tif 000047
2009008485.tif 000048
2009008485.tif 000049
2009008485.tif 000050
2009008485.tif 000051